(57)【要約】  使い捨て吸収性物品は、トップシート、バックシート、及び、トップシートとバックシートとの間に配設された吸収性コアとを含むシャーシと、脚部ガスケットシステム及び腰部ガスケット要素と、を含み得る。脚部ガスケットシステムは、内側カフ及び外側カフを含み得、内側カフは、内側カフの折り畳まれた縁部及び内側カフの材料縁部を含んでもよく、外側カフは、外側カフの折り畳まれた縁部及び外側カフの材料縁部を含んでもよく、それにより、材料ウェブが横方向内側に折り畳まれて、外側カフの折り畳まれた縁部を形成し、かつ横方向外側に折り畳まれて、内側カフの折り畳まれた縁部を形成する。脚部ガスケットシステムはポケットも含み得る。本明細書に記載されるブローアウト法試験により試験される場合、使い捨て吸収性物品は、約９．０％未満のブローアウトパーセント漏れを有する。
2018511388.tif 000002
【特許請求の範囲】
【請求項１】
着用者の胴体下部周囲に着用するための使い捨て吸収性物品であって、前記使い捨て吸収性物品が、第１の腰部領域、第２の腰部領域、及び、前記第１の腰部領域と前記第２の腰部領域との間に配設された股部領域と、第１の腰部縁部及び第２の腰部縁部と、第１の長手方向縁部及び第２の長手方向縁部と、を含み、前記使い捨て吸収性物品が、
１．）トップシートと、
２．）バックシートと、
３．）前記トップシートと前記バックシートとの間に配設された吸収性コアと、を含む、シャーシを含み、
前記使い捨て吸収性物品が、脚部ガスケットシステムと、少なくとも１つの腰部ガスケット要素と、を更に含み、
前記脚部ガスケットシステムが、内側カフ及び外側カフを形成する材料ウェブ含み、
前記内側カフが、内側カフの折り畳まれた縁部及び内側カフの材料縁部を含み、前記外側カフが、外側カフの折り畳まれた縁部及び外側カフの材料縁部を含み、それにより、前記材料ウェブが横方向内側に折り畳まれて、前記外側カフの折り畳まれた縁部を形成し、かつ横方向外側に折り畳まれて、前記内側カフの折り畳まれた縁部を形成し、
前記外側カフの折り畳まれた縁部と前記外側カフの材料縁部との間の前記材料ウェブの少なくとも一部が、前記第１の腰部領域、前記第２の腰部領域、及び前記股部領域において前記シャーシに取り付けられ、前記内側カフの折り畳まれた縁部と前記外側カフの折り畳まれた縁部との間の前記材料ウェブの少なくとも一部が、前記股部領域及び前記第１の腰部領域において前記外側カフの折り畳まれた縁部と前記外側カフの材料縁部との間の前記材料ウェブに取り付けられ、前記内側カフの折り畳まれた縁部と前記外側カフの折り畳まれた縁部との間の前記材料ウェブが、前記第２の腰部領域の少なくとも一部において前記外側カフの折り畳まれた縁部と前記外側カフの材料縁部との間の前記材料ウェブには取り付けられず、脚部ガスケットシステムポケットを形成し、前記脚部ガスケットシステムポケットの内側寄りの長手方向縁部上に開口部を有し、
前記少なくとも１つの腰部ガスケット要素が、内側寄りの横方向縁部、外側寄りの横方向縁部、及び２つの長手方向縁部を有し、前記少なくとも１つの腰部ガスケット要素が、少なくとも１つの弾性材料を含み、
本明細書に記載されるブローアウト法試験により試験される場合、前記使い捨て吸収性物品が、９．０％未満のブローアウトパーセント漏れを有する、使い捨て吸収性物品。
【請求項２】
前記ブローアウトパーセント漏れが、７．０％未満である、請求項１に記載の使い捨て吸収性物品。
【請求項３】
前記ブローアウトパーセント漏れが、５．０％未満である、請求項１又は２に記載の使い捨て吸収性物品。
【請求項４】
前記脚部ガスケットシステムポケットの前記開口部の長さが、長手方向に５ｍｍ〜１００ｍｍある、請求項１〜３のいずれか一項に記載の使い捨て吸収性物品。
【請求項５】
前記脚部ガスケットシステムポケットが、長手方向に５ｍｍ〜２００ｍｍの全体的な長手方向長さを有する、請求項１〜４のいずれか一項に記載の使い捨て吸収性物品。
【請求項６】
前記脚部ガスケットシステムポケットの前記開口部が、前記脚部ガスケットシステムポケットの前記全体的な長手方向長さの１％〜７５％である、請求項１〜５のいずれか一項に記載の使い捨て吸収性物品。
【請求項７】
前記脚部ガスケットシステムポケットが、弾性部材を含まない、請求項１〜６のいずれか一項に記載の使い捨て吸収性物品。
【請求項８】
前記脚部ガスケットシステムポケットが、１つ又は２つ以上のスナップバック弾性部材を含む、請求項１〜７のいずれか一項に記載の使い捨て吸収性物品。
【請求項９】
前記外側カフの折り畳まれた縁部と前記外側カフの材料縁部との間の前記材料ウェブの少なくとも一部が、前記第１の腰部領域、前記第２の腰部領域、及び前記股部領域において前記トップシート及び／又はバックシートに取り付けられる、請求項１〜８のいずれか一項に記載の使い捨て吸収性物品。
【請求項１０】
前記シャーシが不透明性強化パッチを含み、前記外側カフの折り畳まれた縁部と前記外側カフの材料縁部との間の前記材料ウェブの少なくとも一部が、前記第１の腰部領域、前記第２の腰部領域、及び前記股部領域において前記不透明性強化パッチに取り付けられる、請求項１〜９のいずれか一項に記載の使い捨て吸収性物品。
【請求項１１】
前記内側カフが、５０ｍ３／ｍ２／分未満の空気透過率を有し、前記外側カフが、５ｍ３／ｍ２／分を超える空気透過率を有する、請求項１〜１０のいずれか一項に記載の使い捨て吸収性物品。
【請求項１２】
前記内側カフが、５５００ｇ／ｍ２／２４時間未満のＷＶＴＲを有し、前記外側カフが、４２５０ｇ／ｍ２／２４時間を超えるＷＶＴＲを有する、請求項１〜１１のいずれか一項に記載の使い捨て吸収性物品。
【請求項１３】
前記脚部ガスケットシステムが、前記第１の腰部縁部から前記第２の腰部縁部まで延在している、請求項１〜１２のいずれか一項に記載の使い捨て吸収性物品。
【請求項１４】
前記脚部ガスケットシステムの前記少なくとも１つ及び前記少なくとも１つの腰部ガスケット要素が、Ｎ繊維材料を含む、請求項１〜１３のいずれか一項に記載の使い捨て吸収性物品。
【請求項１５】
前記脚部ガスケットシステムポケットが、疎水性コーティングを含む、請求項１〜１４のいずれか一項に記載の使い捨て吸収性物品。
【発明の詳細な説明】
【技術分野】
【０００１】
本発明は、肌着のような物品をもたらす改善された脚部カフを有し、それと同時に改善された機能特性（例えば、漏れの低減、糞便物質の封じ込め）を有する、吸収性物品（例えば、おむつ、成人用失禁物品、婦人衛生パッド）に関する。
【背景技術】
【０００２】
従来の吸収性物品等（例えば、おむつ、成人用失禁物品、婦人衛生パッド）の吸収性物品が尿及び／又は他の身体滲出物（例えば、糞便、経血、糞便と尿との混合物、経血と尿との混合物等）を受け取り、封じ込める利益を提供することは以前から知られている。排泄物を有効に封じ込めるために、物品が着用者の腰部及び脚部の周囲にぴったりとしたフィットを提供するべきである。
【０００３】
現在のおむつの設計は、排泄物の漏れを防止するためのバリア脚部カフ、及びこのバリアカフを通じて滲出物が見えるのを最小限にするためのバリア脚部カフ上に覆いを提供し、かつ、バリア脚部カフを滲み出る排泄物を捕える第２の手段を提供する外側カフの使用を含むことが多い。バリア脚部カフは、疎水性不織布を使用して作製されてもよく、吸収性物品の身体に面する表面上に配設されるか、又はフィルムバックシート層の身体に面する表面に接続されてもよい。バリア脚部カフは、排泄物が、物品の側部から外に通過するのを防止する実質的に液体不透過性の層であってよく、また、外気が皮膚に到達して皮膚水分量を健常な水準に保つことを可能にする、高い通気性を有していてもよい。多くの現在のおむつでは、外側カフは、バリア脚部カフを覆うために、並びに、製造中に溶融した接着剤がカフを通じて、物品の衣類に面する表面まで通通するのを防止するために必要とされる、高度な不透明性を提供するバックシートの高分子フィルム層を含む。外側カフは外側脚部弾性ストランドを含み、これは収縮力及びギャザーを作り出し、カフ材料とバックシート材料との間に挟まれ得る。脚部カフにおける弾性ストランドは、典型的に、製造中に溶融した接着剤を用いて接合され、熱い接着剤は一般的に、製造中に不織布材料を通過する可能性があり、製造ラインの汚染、並びに物品の外側表面上への粘着性の可能性を生じさせる。高分子フィルムは一般的に、これらの問題を防止するために使用されるが、プラスチック様の外観、並びに適用工程時の騒音をもたらす。
【０００４】
材料を切断、追跡し、組み合わせる際の製造上の公差により、外側脚部弾性ストランドは一般的に、股領域において、物品の長手方向縁部から内側寄りに離間配置されている。これは、製造工程中に外側脚部弾性ストランドを不不用意に切断又は露出させるのを防止する。この設計では、製品の長手方向縁部の最も外側の部分が、着用時にユーザーの皮膚に絶えず密接して接触していることにはならない。したがって、弾性ストランドが、物品の縁部を制御する能力は、最も外側の弾性体と縁部との間の距離が増加するにつれて減少し、これは、ギャザーが皮膚により大きな間隔で接触するか、ときには全く接触しない、より大きなギャザーのよりランダムな分布につながる。この影響は、長手方向縁部がユーザーの皮膚に接触していない箇所でおむつが漏れる可能性があるという認知を、ユーザーにもたらす可能性がある。更に、現在入手可能な多くの物品は、ギャザーを作り出すために１つの側当たり２〜３の外側脚部弾性体のみを収容しており、幅広仕上げの脚部カフ、又は、セーターの袖のカフの弾性のある縁取られた縁部のような、より肌着のようなカフの望ましい外観を達成するのがより難しくなっている。弾性体がより近接して離間配置されている場合、結果として、弾性のある区域の区分が狭くなり、これにより、仕上げが不十分で、快適性の低い、あまり衣類のようでない外観をもたらす。弾性体がより遠く離れて離間配置されると、ギャザーはユーザーの皮膚から更に離隔しているように見え、潜在的な漏れのリスクの認知につながる。上述のように、これは、離隔が大きくなっているストランド間でギャザーの制御性が低下することにより生じる。
【０００５】
したがって、改善されたフィット、審美的により望ましい、衣類のような設計、及び改善された漏れの保護を作り出すために、皮膚との近接性を維持するように縁部の近くにある弾性体を含む、仕上げられた縁部を有する、折り畳まれた外側カフ設計を備える吸収性物品を提供することが望ましい。
【０００６】
しかしながら、本明細書に詳述されるカフ設計により提供される改善された漏れ保護を備えていても、身体滲出物が物品と着用者の脚部及び／又は腰部との間の隙間から漏れ出るときに、吸収性物品の最も一般的な不具合の様式がなおも生じる。糞便物質（例えば、流動状の排便、排便と尿との混合物等）が吸収性物品のトップシート及びコアに吸収されない場合、糞便物質は、物品と着用者の脚部又は腰部との間の隙間から漏れ出る可能性がある。着用者が、尿よりもゆっくり吸収性コアによって吸収されるより多い量の糞便を滲出する状況では、糞便物質は、吸収性物品の身体側の表面に沿って横方向に移動し、バリア脚部カフに到達し得る。糞便物質は、バリア脚部カフに沿って長手方向に、又は腰部に向かって着用者の臀部溝の長手方向上にも移動する場合がある。着用者の動き並びに／又はバリアカフの下及び／若しくは吸収性物品内の利用可能な空間の不足により、糞便物質は、物品と着用者の脚部及び／又は腰部との間の隙間から漏れ出る場合がある。これにより、着用者の漏れやすい吸収性物品と接触する着用者の衣類又は他の物品（例えば、寝具、家具、介護者の衣類等）を汚す、濡らす、ないしは別の方法で汚染することになる。
【発明の概要】
【発明が解決しようとする課題】
【０００７】
したがって、身体押出物（extrudate）の漏れの悪影響を最小限に抑える能力を有する、経済的に実現可能な使い捨て吸収性物品を提供すると同時に、汚れた使い捨て吸収性物品が取り除かれるときに着用者をきれいにすることをより容易にすることが、継続的な関心事である。この目的で、物品の使用予測時間にわたって、着用者の衣類及び／又は皮膚から離して身体押出物を安全かつ清潔に保持するのに十分な保持能力を有する使い捨て吸収性物品を提供することが、継続的な関心事である。
【課題を解決するための手段】
【０００８】
一態様では、着用者の胴体下部周囲に着用するための使い捨て吸収性物品は、第１の腰部領域、第２の腰部領域、第１の腰部領域と第２の腰部領域との間に配設された股部領域と、第１の腰部縁部及び第２の腰部縁部と、第１の長手方向縁部及び第２の長手方向縁部とを含み、この使い捨て吸収性物品は、トップシート、バックシート、及び、トップシートとバックシートとの間に配設された吸収性コアを含むシャーシを含み、この使い捨て吸収性物品は、脚部ガスケットシステム、及び少なくとも１つの腰部ガスケット要素を更に含み、この脚部ガスケットシステムは、内側カフ及び外側カフを形成する材料ウェブ含み、この内側カフは、内側カフの折り畳まれた縁部及び内側カフの材料縁部を含み、外側カフは、外側カフの折り畳まれた縁部及び外側カフの材料縁部を含み、それにより、材料ウェブが横方向内側に折り畳まれて、外側カフの折り畳まれた縁部を形成し、かつ横方向外側に折り畳まれて、内側カフの折り畳まれた縁部を形成し、外側カフの折り畳まれた縁部と外側カフの材料縁部との間の材料ウェブの少なくとも一部は、第１の腰部領域、第２の腰部領域、及び股部領域においてシャーシに取り付けられ、内側カフの折り畳まれた縁部と外側カフの折り畳まれた縁部との間の材料ウェブの少なくとも一部は、股部領域及び第１の腰部領域において外側カフの折り畳まれた縁部と外側カフの材料縁部との間の材料ウェブに取り付けられ、内側カフの折り畳まれた縁部と外側カフの折り畳まれた縁部との間の材料ウェブは、第２の腰部領域の少なくとも一部において外側カフの折り畳まれた縁部と外側カフの材料縁部との間の材料ウェブには取り付けられず、脚部ガスケットシステムポケットを形成し、脚部ガスケットシステムポケットの内側寄りの長手方向縁部上に開口部を有し、少なくとも１つの腰部ガスケット要素は、内側寄りの横方向縁部、外側寄りの横方向縁部、及び２つの長手方向縁部を有し、少なくとも１つの腰部ガスケット要素は、少なくとも１つの弾性材料を含み、本明細書に記載されるブローアウト法試験により試験される場合、使い捨て吸収性物品は９．０％未満のブローアウトパーセント漏れを有する。
【０００９】
別の態様では、着用者の胴体下部周囲に着用するための使い捨て吸収性物品は、第１の腰部領域、第２の腰部領域、第１の腰部領域と第２の腰部領域との間に配設された股部領域と、第１の腰部縁部及び第２の腰部縁部と、第１の長手方向縁部及び第２の長手方向縁部とを含み、この使い捨て吸収性物品は、トップシートと、バックシートと、トップシートとバックシートとの間に配設された吸収性コアとを含むシャーシを含み、この使い捨て吸収性物品は、脚部ガスケットシステムと、少なくとも１つの腰部ガスケット要素とを更に含み、この脚部ガスケットシステムは、内側カフ及び外側カフを形成する材料ウェブ含み、この内側カフは、内側カフの折り畳まれた縁部及び内側カフの材料縁部を含み、外側カフは、外側カフの折り畳まれた縁部及び外側カフの材料縁部を含み、それにより、材料ウェブが横方向内側に折り畳まれて、外側カフの折り畳まれた縁部を形成し、かつ横方向外側に折り畳まれて、内側カフの折り畳まれた縁部を形成し、外側カフの折り畳まれた縁部と外側カフの材料縁部との間の材料ウェブの少なくとも一部は、第１の腰部領域、第２の腰部領域、及び股部領域においてシャーシに取り付けられ、内側カフの折り畳まれた縁部と外側カフの折り畳まれた縁部との間の材料ウェブの少なくとも一部は、股部領域及び第１の腰部領域において外側カフの折り畳まれた縁部と外側カフの材料縁部との間の材料ウェブに取り付けられ、内側カフの折り畳まれた縁部と外側カフの折り畳まれた縁部との間の材料ウェブは、第２の腰部領域の少なくとも一部において外側カフの折り畳まれた縁部と外側カフの材料縁部との間の材料ウェブには取り付けられず、脚部ガスケットシステムポケットを形成し、脚部ガスケットシステムポケットの内側寄りの長手方向縁部上に開口部を有し、少なくとも１つの腰部ガスケット要素は、内側寄りの横方向縁部、外側寄りの横方向縁部、及び２つの長手方向縁部を有し、少なくとも１つの腰部ガスケット要素は、少なくとも１つの弾性材料を含み、少なくとも１つの腰部ガスケット要素は、１）使い捨て吸収性物品のシャーシ、及び２）脚部ガスケットシステムに取り付けられ、それにより、腰部ガスケット要素の外側寄りの横方向縁部の少なくとも一部が、シャーシに取り付けられ、腰部ガスケット要素の外側寄りの横方向縁部の少なくとも一部が、脚部ガスケットシステムを形成する材料ウェブに取り付けられ、かつ腰部ガスケット要素の内側寄りの横方向縁部は、使い捨て吸収性物品のシャーシには取り付けられず、本明細書に記載されるブローアウト法試験により試験される場合、使い捨て吸収性物品は、９．０％未満のブローアウトパーセント漏れを有する。
【００１０】
本明細書に記載の使い捨て吸収性物品は、１つの材料ウェブ又は複数の材料ウェブを含み得る脚部ガスケットシステム又は腰部ガスケット要素を含む。本明細書の説明及び特許請求の範囲は、「材料ウェブ」から形成される脚部ガスケットシステムの実施形態及び腰部ガスケット要素に言及する場合がある。「材料ウェブ」の詳細説明は、単一の連続材料ウェブ、一緒に接合されて１つの材料ウェブになる複数の材料ウェブ、又は使い捨て吸収性物品シャーシとは別個であり、脚部ガスケットシステム若しくは腰部ガスケット要素の一部を形成する複数の個別の材料ウェブを包含する。本明細書に記載の脚部ガスケットシステム及び／又は腰部ガスケット要素は、Ｎ繊維材料又は他の不織布材料を含み得る。
【図面の簡単な説明】
【００１１】
【図１】本明細書に記載される吸収性物品の概略平面図である。
【図２】横方向中心線に沿って取った、図１の脚部ガスケットシステムのうちの１つの概略断面図である。脚部ガスケットシステムは、平らな非収縮状態で示される。
【図３】断面を横方向中心線に沿って取った、図１の脚部ガスケットシステム及びトップシートの概略断面図である。脚部ガスケットシステムは、平らな非収縮状態で示される。
【図４】断面を線Ａ−Ａに沿って取った、図１の吸収性物品の概略断面図である。
【図５】断面を線Ｂ−Ｂに沿って取った、図１の吸収性物品の概略断面図である。
【図６】断面を線Ｃ−Ｃに沿って取った、図１の吸収性物品の概略断面図である。
【図７】断面を線Ａ−Ａに沿って取った、不透明性強化パッチを有する図１の吸収性物品の概略断面図である。
【図８】断面を線Ｂ−Ｂに沿って取った、不透明性強化パッチを有する図１の吸収性物品の概略断面図である。
【図９】断面を線Ｃ−Ｃに沿って取った、不透明性強化パッチを有する図１の吸収性物品の概略断面図である。
【図１０】本明細書に記載される例示の吸収性物品の概略断面図である。
【図１１Ａ】本明細書において詳述される吸収性物品において用いるのに好適な脚部ガスケットシステムの概略断面図である。
【図１１Ｂ】本明細書において詳述される吸収性物品において用いるのに好適な脚部ガスケットシステムの概略断面図である。
【図１１Ｃ】本明細書において詳述される吸収性物品において用いるのに好適な脚部ガスケットシステムの概略断面図である。
【図１１Ｄ】本明細書において詳述される吸収性物品において用いるのに好適な脚部ガスケットシステムの概略断面図である。
【図１１Ｅ】本明細書において詳述される吸収性物品において用いるのに好適な脚部ガスケットシステムの概略断面図である。
【図１１Ｆ】本明細書において詳述される吸収性物品において用いるのに好適な脚部ガスケットシステムの概略断面図である。
【図１１Ｇ】本明細書において詳述される吸収性物品において用いるのに好適な脚部ガスケットシステムの概略断面図である。
【図１１Ｈ】本明細書において詳述される吸収性物品において用いるのに好適な脚部ガスケットシステムの概略断面図である。
【図１１Ｉ】本明細書において詳述される吸収性物品において用いるのに好適な脚部ガスケットシステムの概略断面図である。
【図１１Ｊ】本明細書において詳述される吸収性物品において用いるのに好適な脚部ガスケットシステムの概略断面図である。
【図１１Ｋ】本明細書において詳述される吸収性物品において用いるのに好適な脚部ガスケットシステムの概略断面図である。
【図１１Ｌ】本明細書において詳述される吸収性物品において用いるのに好適な脚部ガスケットシステムの概略断面図である。
【図１１Ｍ】本明細書において詳述される吸収性物品において用いるのに好適な脚部ガスケットシステムの概略断面図である。
【図１１Ｎ】本明細書において詳述される吸収性物品において用いるのに好適な脚部ガスケットシステムの概略断面図である。
【図１１Ｏ】本明細書において詳述される吸収性物品において用いるのに好適な脚部ガスケットシステムの概略断面図である。
【図１１Ｐ】本明細書において詳述される吸収性物品において用いるのに好適な脚部ガスケットシステムの概略断面図である。
【図１１Ｑ】本明細書において詳述される吸収性物品において用いるのに好適な脚部ガスケットシステムの概略断面図である。
【図１１Ｒ】本明細書において詳述される吸収性物品において用いるのに好適な脚部ガスケットシステムの概略断面図である。
【図１１Ｓ】本明細書において詳述される吸収性物品において用いるのに好適な脚部ガスケットシステムの概略断面図である。
【図１１Ｔ】本明細書において詳述される吸収性物品において用いるのに好適な脚部ガスケットシステムの概略断面図である。
【図１２】本明細書に詳述される吸収性物品の概略平面図である。図１２は、図１の吸収性物品と実質的に同一であるが、第２の腰部領域に腰部ガスケット要素が追加されている。
【図１３】図１２に描写される吸収性物品の第２の腰部領域の拡大概略平面図である。
【図１４】断面を長手方向中心線に沿って取った、図１３の吸収性物品の概略断面図である。
【図１５】断面を線Ｄ−Ｄに沿って取った、図１３の吸収性物品の概略断面図である。
【図１６】断面を線Ｅ−Ｅに沿って取った、図１３の吸収性物品の概略断面図である。
【図１７】断面を線Ｄ−Ｄに沿って取った、図１３の吸収性物品の概略断面図である。
【図１８】断面を線Ｅ−Ｅに沿って取った、図１３の吸収性物品の概略断面図である。
【図１９】本明細書に記載されるブローアウト法試験で使用されるトラフの斜視図である。
【図２０】本明細書に記載されるブローアウト法試験で使用される横軸を有するボールの斜視図である。
【図２１】本明細書に記載される吸収性物品のパッケージの概略断面図である。
【発明を実施するための形態】
【００１２】
定義：
本明細書で使用するとき、以下の用語は後に指定される意味を有するものとする。
吸収性物品に関連しての「使い捨て」は、吸収性物品が、洗濯するか、ないしは別の方法で吸収性物品として復元若しくは再利用することが一般的に意図されない（即ち、単回の使用の後で廃棄する、好ましくはリサイクル、堆肥化、或いは環境に適合する様態で廃棄することが意図される）ことを意味する。
【００１３】
「吸収性物品」とは、身体滲出物を吸収し、封じ込めるデバイスを指し、より詳細には、着用者の身体に接して、又は近接して置かれて、身体から排出される様々な滲出物を吸収し、封じ込めるデバイスを指す。吸収性物品の例としては、おむつ、トレーニングパンツ、プルオンパンツ式おむつ（即ち、米国特許第６，１２０，４８７号に示されているような予め形成された腰部開口部及び脚部開口部を有するおむつ）、再締結可能なおむつ若しくはパンツ型おむつ、失禁用ブリーフ及び下着、おむつホルダ及びライナー、パンティライナー等の女性用衛生衣類、吸収性挿入物等が挙げられる。
【００１４】
「近位」及び「遠位」は、それぞれ、構造体の長手方向又は横方向の中心線に比較的近い又は遠い要素の位置を指す（例えば、長手方向に延在する要素の近位縁が、同じ要素の遠位縁が同じ長手方向中心線に対して位置するよりも、長手方向中心線により近く位置している）。
【００１５】
「身体に面する」及び「衣類に面する」とは、それぞれ、要素、又は要素の面、又は要素の群の相対位置を指す。「身体に面する」とは、その要素又は面が、何らかの他の要素又は面よりも、着用時に着用者により近いことを意味する。「衣類に面する」とは、その要素又は面が、何らかの他の要素又は面よりも、着用時に着用者からより遠く離れていることを意味する（即ち、要素又は面が、使い捨て吸収性物品の上に着用され得る着用者の衣類に近接する）。
【００１６】
「長手方向」とは、物品の腰部縁部から対向する腰部縁部まで実質的に垂直に、及び物品の最大直線寸法に略平行に延びる方向を指す。長手方向の４５度以内の方向は、「長手方向」であると見なされる。
【００１７】
「横方向の」とは、物品の１つの長手方向縁部から対向する長手方向縁部に、及び長手方向に略直角に延びる方向を指す。横方向に４５度以内の方向は、「横方向」であると見なされる。
【００１８】
「配設される」とは、要素が、ある特定の場所又は位置に位置することを指す。
【００１９】
「接合された」とは、要素を他の要素に直接固着することによって、その要素が別の要素に直接固定されている形態、及び要素を１つ以上の中間部材に固着し、その中間部材が次に他の要素に固着されることによって、その要素が別の要素に間接的に固定されている形態を指す。
【００２０】
「フィルム」とは、材料の長さ及び幅が材料の厚さを大きく上回るシート状材料を指す。典型的には、フィルムは約０．５ｍｍ以下の厚さを有する。
【００２１】
「透水性」及び「不透水性」は、使い捨て吸収性物品の意図された使用に関連する材料の透過性を指す。具体的には、用語「透水性」は、液体の水、尿又は合成尿が押し付け圧力がない状態で、その厚さを通過できる孔、開口部及び／又は相互に接続された空隙を有する層又は層構造体を指す。逆に、用語「不透水性」は、液体の水、尿又は合成尿が（重力等の自然の力とは別の）押し付け圧力がない状態では、その厚さを通過できない層又は層構造体を指す。この定義により不透水性の層又は層状構造体は、水蒸気に対して透過性（即ち、「蒸気透過性」）であってもよい。
【００２２】
「延伸性」及び「延伸性の」とは、弛緩状態における構成要素の幅又は長さを延伸又は増大させることができることを意味する。
【００２３】
「弾性のある」又は「弾性をもたせた」とは、構成要素が弾性材から作製された少なくとも一部分を含むことを意味する。
【００２４】
「伸長性材料」、「延伸性材料」、又は「伸縮性材料」は互換的に使用され、付勢力を加えた際に、ＥＤＡＮＡ法２０．２−８９によって測定して、断裂又は破断することなく、弛緩した元の長さの少なくとも約１１０％の伸長された長さまで伸びることができ（即ち、元の長さよりも１０％長く伸びることができ）、かつ、加えられた力を解放した際に、回復をほとんど示さない、すなわち、完全に断裂又は破断することのないその伸長率の約２０％未満の回復を示す、材料を指す。かかる伸長性材料が、加えられた力を解放した際に、その伸長率の少なくとも４０％を回復する場合、その伸長性材料は、「弾性」又は「エラストマー性」であると見なされる。例えば、１００ｍｍの初期長さを有する弾性材料は、少なくとも１５０ｍｍまで延伸することができ、力を取り除くと少なくとも１３０ｍｍの長さまで収縮する（即ち、４０％の回復を示す）。加えた力を解放した際に、材料がその伸長率の４０％未満を回復する場合、その伸長性材料は、「実質的に非弾性」又は「実質的に非エラストマー性」であると見なされる。例えば、１００ｍｍの初期長さを有する伸長性材料は、少なくとも１５０ｍｍまで延伸することができ、力を取り除くと少なくとも１４５ｍｍの長さまで収縮する（即ち、１０％の回復を示す）。
【００２５】
「エラストマー材料」は、弾性の性質を示す材料である。エラストマー材料としては、エラストマーフィルム、スクリム、不織布及び他のシート状構造体を挙げることができる。
【００２６】
「パンツ」とは、予め形成された腰部及び脚部開口部を有する使い捨て吸収性物品を指す。パンツは、着用者の両脚を脚部開口部に挿入し、パンツを滑らせて着用者の下部胴体あたりの位置に至らせることによって着用され得る。パンツはまた、通常、「閉じられたおむつ」、「予め締結されたおむつ」、「プルオンおむつ」、「トレーニングパンツ」、及び「おむつパンツ」とも称される。
【００２７】
吸収性物品：
本開示は、肌着のようである審美的に望ましい設計を作り出すきれいに仕上げられた外側カフの折り畳まれた縁部を有する、折り畳まれた外側カフを含む脚部ガスケットシステムを有する、使い捨て吸収物品を目的とし、この吸収性物品は、物品の内部に向かって開口部を有する脚部ガスケットシステムポケットも含み（このポケットは、流動状の排便の漏れを低減する）、吸収性物品は、少なくとも１つの腰部ガスケット要素も含む。折り畳まれた外側カフ設計は、弾性のある領域において高分子フィルム層を用いずに浸透及び接着剤の裏抜けを防止するのに有利である。吸収性物品は、適用時及び着用時に物品が過剰に延伸するのを防止するのに必要とされる強度を提供し、かつ、ユーザーの皮膚が物品から透けて見えるのを防止する不透明性を側面及び腰部において提供する、不透明性強化パッチを含んでもよい。
【００２８】
図１及び１２は、平らな非収縮状態にある、本明細書に記載の吸収性物品２０の平面図である。図１及び１２は実質的に同じ使い捨て吸収性物品を図示するが、図１２は第２の腰部領域３８に腰部ガスケット要素８１も組み込むという点で異なる。したがって、本明細書の図１の吸収性物品の特定の要素を詳述する際、これらの同じ要素が図１２の吸収性物品にも存在し得るため（明示的に示されるか否かにかかわらず）、同じ開示は図１２の吸収性物品にも適用される。明確性の問題のため、図１に明示的に示され言及される要素の一部が図１２では欠けているように見える場合がある。例えば、カフ分離結合部４５は、腰部ガスケット要素８１の図示を明確にするために、図１２の第２の腰部領域３８の外側寄り部分に明示的には示されない。しかしながら、明示的には図示されないが、図１２の吸収性物品は、図１に詳述され、本明細書に記載されるその領域にカフ離隔結合部４５、並びに図１（又は図１に言及する図）に図示され、かつ／又は本明細書に記載される任意の他の要素を含み得る。
【００２９】
吸収性物品２０の衣類に面する面１２０は、観察者に面している。吸収性物品２０は、長手方向中心線１００及び横方向中心線１１０を含む。吸収性物品２０は、シャーシ２２を含んでもよい。吸収性物品２０及びシャーシ２２は、第１の腰部領域３６、第１の腰部領域３６に対向する第２の腰部領域３８、及び、第１の腰部領域３６と第２の腰部領域３８との間に位置する股部領域３７を有するものとして示されている。腰部領域３６及び３８は一般に、着用時に着用者の腰部を取り囲む吸収性物品２０の部分を含む。腰部領域３６及び３８は、フィット性及び封入性を改善するように、着用者の腰部周りでギャザーを形成するような弾性要素を含み得る。股部領域３７は、吸収性物品２０が着用されたときに、着用者の脚部の間に概ね位置付けられる、吸収性物品２０の部分である。
【００３０】
シャーシ２２の外側周辺部は、長手方向縁部１２及び腰部縁部（第１の腰部領域３６における第１の腰部縁部１３、及び第２の腰部領域３８における第２の腰部縁部１４）により画定される。長手方向縁部１２は、第１の腰部領域３６内の長手方向縁部１２の部分である前側長手方向縁部１２ａと、後側腰部領域３８内の長手方向縁部１２の部分である後側長手方向縁部１２ｂとに、更に分割されてもよい。シャーシ２２は、長手方向中心線１００と略平行に配向される対向する長手方向縁部１２を有し得る。しかしながら、より良いフィットのためには、長手方向縁部１２は、例えば平面図で見たときに「砂時計」型のおむつを製造するように、曲線状又は角度付きであってもよい。シャーシ２２は、横方向中心線１１０に対して略平行に配向される対向する横方向縁部１４を有し得る。
【００３１】
シャーシ２２は、液体透過性トップシート２４、バックシート２６、及びトップシート２４とバックシート２６との間の吸収性コア２８を含み得る。１つ以上の不透明性強化パッチ８０を含む吸収性物品において、シャーシ２２は不透明性強化パッチ（複数可）も含む。吸収性コア２８は、身体に面する表面と衣類に面する表面とを有し得る。トップシート２４は、コア２８及び／又はバックシート２６に接合されてもよい。バックシート２６は、コア２８及び／又はトップシート２４に接合されてもよい。他の構造体、要素、又は基材がコア２８とトップシート２４及び／又はバックシート２６との間に位置付けられてもよいことを認識するべきである。シャーシ２２は、複合吸収性物品構造体を形成するために追加され得る他の機構を有する、吸収性物品２０の主要構造体を含む。トップシート２４、バックシート２６、及び吸収性コア２８は様々な周知の構成で組み立てることができ、好ましい吸収性物品構造は、米国特許第３，８６０，００３号、同第５，１５１，０９２号、同第５，２２１，２７４号、同第５，５５４，１４５号、同第５，５６９，２３４号、同第５，５８０，４１１号、並びに同第６，００４，３０６号に一般に記載されている。
【００３２】
トップシート：
トップシート２４は一般的に、着用者に少なくとも部分的に接触して又はごく近接して位置付けられ得る、吸収性物品２０の一部である。適切なトップシート２４は、多孔質発泡体、網状発泡体、有孔プラスチックフィルム、又は天然繊維（例えば、木材繊維若しくは綿繊維）、合成繊維（例えば、ポリエステル繊維若しくはポリプロピレン繊維）、若しくは天然繊維と合成繊維との組み合わせによる織布ウェブ若しくは不織布ウェブ等の、広範な材料から製造されてもよい。トップシート２４は、一般に、着用者の皮膚に対してしなやかで柔らかい感触であり、無刺激性である。一般に、トップシート２４の少なくとも一部は液体透過性であり、液体がトップシート２４の厚さを通して容易に浸透することを許容する。本明細書で有用な１つのトップシート２４は、ＢＢＡ  Ｆｉｂｅｒｗｅｂ（Ｂｒｅｎｔｗｏｏｄ、ＴＮ）から供給元コード０５５ＳＬＰＶ０９Ｕとして入手可能である。
【００３３】
トップシート２４の任意の部分が、当該技術分野において既知のローション又はスキンケア組成物でコーティングされてもよい。好適なローションの例としては、米国特許第５，６０７，７６０号、同第５，６０９，５８７号、同第５，６３５，１９１号、及び同第５，６４３，５８８号に記載されるものが挙げられる。トップシート２４は、全体的に又は部分的に弾性があってもよく、又はトップシート２４とコア２８との間に空隙空間を提供するよう短縮されてもよい。弾性のある又は短縮されたトップシートを含む例示の構造体が、米国特許第４，８９２，５３６号、同第４，９９０，１４７号、同第５，０３７，４１６号、及び同第５，２６９，７７５号により詳細に記載されている。
【００３４】
吸収性コア：
吸収性コア２８は、使い捨ておむつ及び他の吸収性物品に一般に使用される多種多様な液体吸収性材料を含み得る。適切な吸収性材料の例として、通常エアフェルトクレープ紙綿と称される粉砕された木材パルプ、コフォームを含むメルトブローンポリマー、化学的に剛化、改質、若しくは架橋されたセルロース繊維、ティッシュラップ及びティッシュラミネートを含むティッシュ、吸収性発泡体、吸収性スポンジ、超吸収性ポリマー、吸収性ゲル化材料、又は任意の他の吸収性材料若しくは材料の組み合わせが挙げられる。吸収性コアの少なくとも一部は、セルロースを実質的に含まないことが可能であり、１０重量％未満のセルロース繊維、５重量％未満のセルロース繊維、１重量％未満のセルロース繊維、微量のセルロース繊維を含有するか、又はセルロース繊維を含有しない。微量のセルロース材料が、セルロースを実質的に含まない吸収性コアの一部分の薄さ、可撓性、及び吸収性のうちの少なくとも１つに実質的に影響を与えないということは理解されるべきである。他の利点の中でもとりわけ、吸収性コアの少なくとも一部分がセルロースを実質的に含まないとき、吸収性コアのこの部分は、１０重量％超のセルロース繊維を含む、同様の吸収性コアよりも著しく薄く、より高い可撓性を有すると考えられる。吸収性コア中に存在する吸収性材料、例えば吸収性粒子状高分子材料の量は、様々であってよいが、ある特定の吸収性物品において、吸収性コアの約８０重量％超、又は吸収性コアの約８５重量％超、又は吸収性コアの約９０重量％超、又はコアの約９５重量％超の量で吸収性コア中に存在する。
【００３５】
吸収性コア２８として使用するための例示の吸収性構造体は、米国特許第４，６１０，６７８号、同第４，６７３，４０２号、同第４，８３４，７３５号、同第４，８８８，２３１号、同第５，１３７，５３７号、同第５，１４７，３４５号、同第５，３４２，３３８号、同第５，２６０，３４５号、同第５，３８７，２０７号、同第５，３９７，３１６号、及び同第５，６２５，２２２号に記載されている。
【００３６】
バックシート：
バックシート２６は、一般的に、吸収性物品２０の衣類に面する面１２０の少なくとも一部であり得るように位置付けられる。バックシート２６は、吸収性物品２０によって吸収され、その内に封じ込められた滲出物が、ベッドシーツ及び下着等、吸収性物品２０と接触し得る物品を汚すのを防止するように設計することができる。バックシート２６は、実質液に水不透過性であってよい。好適なバックシート２６材料としては、Ｔｒｅｄｅｇａｒ  Ｉｎｄｕｓｔｒｉｅｓ  Ｉｎｃ．（Ｔｅｒｒｅ  Ｈａｕｔｅ、ＩＮ）により製造され、商標名Ｘ１５３０６、Ｘ１０９６２、及びＸ１０９６４で販売されているもの等のフィルムが挙げられる。他の好適なバックシート２６材料としては、蒸気が吸収性物品２０から逃れることを可能にしながらも、依然として滲出物がバックシート２６を通り抜けることを防止する通気性材料を挙げることができる。例示の通気性材料としては、織布ウェブ、不織布ウェブ、フィルムコーティング不織布ウェブ等の複合材料、並びにＥＳＰＯＩＲ  ＮＯの名称で日本のＭｉｔｓｕｉ  Ｔｏａｔｓｕ  Ｃｏ．により製造されている微多孔質フィルム及びＥＸＸＡＩＲＥの名称でＥＸＸＯＮ  Ｃｈｅｍｉｃａｌ  Ｃｏ．（Ｂａｙ  Ｃｉｔｙ、ＴＸ）により製造されている微多孔質フィルム等の材料を挙げることができる。ポリマーブレンドを含む好適な通気性複合材料は、名称ＨＹＴＲＥＬブレンドＰ１８−３０９７として、Ｃｌｏｐａｙ社（Ｃｉｎｃｉｎｎａｔｉ、ＯＨ）から入手可能である。このような通気性複合材料は、ＰＣＴ出願第ＷＯ  ９５／１６７４６号及び米国特許第５，８６５，８２３号により詳細に記載されている。不織布ウェブ及び孔形成フィルムを含む他の通気性バックシートが、米国特許第５，５７１，０９６号に記載されている。例示の好適なバックシートは、米国特許第６，１０７，５３７号に開示されている。表面処理、特定のフィルムの選択及び加工、特定のフィラメントの選択及び加工等を含むが、これらに限定されない、他の好適な材料及び／又は製造技術が、好適なバックシート２６を提供するために使用され得る。
【００３７】
バックシート２６は、２層以上の層からなってもよい。バックシート２６は、外側カバー及び内側層を含み得る。外側カバーは、柔らかい不織布材料から作製され得る。内側層は、実質的に液体不透過性のフィルムから作製され得る。外側カバー及び内側層は、接着剤又は任意の他の好適な材料又は方法によって共に接合されてもよい。特に好適な外側カバーは、供給元コードＡ１８ＡＨ０としてＣｏｒｏｖｉｎ  ＧｍｂＨ（Ｐｅｉｎｅ、Ｇｅｒｍａｎｙ）から入手可能であり、特に好適な内側層は、供給元コードＰＧＢＲ４ＷＰＲとしてＲＫＷ  Ｇｒｏｎａｕ  ＧｍｂＨ，Ｇｒｏｎａｕ，Ｇｅｒｍａｎｙから入手可能である。本明細書では様々なバックシート構成が企図されるが、本発明の趣旨及び範囲から逸脱することなく様々な他の変更及び修正が可能であることは当業者には明らかであろう。
【００３８】
耳部／締結具
吸収性物品２０は、前側耳部４０及び／又は後側耳部４２を含み得る。耳部４０、４２は、延伸性、非延伸性、弾性、又は非弾性であり得る。耳部４０、４２は、不織布ウェブ、織布ウェブ、編布地、高分子フィルム及びエラストマーフィルム、有孔フィルム、スポンジ、発泡体、スクリム、並びにそれらの組み合わせ及びラミネートから形成され得る。耳部４０、４２は、不織布／エラストマー材料ラミネート又は不織布／エラストマー材料／不織布ラミネート等の伸縮性ラミネートから形成されてもよい。伸縮性ラミネートは、当該技術分野において既知の任意の方法によって形成されてもよい。例えば、耳部４０、４２は、少なくとも一層の不織布材料及びエラストマー要素を含む、ゼロ歪み伸縮性ラミネートとして形成されてよい。エラストマー要素は、弛緩又は実質的に弛緩状態で不織布材料の層に取り付けられ、結果として生じたラミネートは、不織布層を恒久的に伸長させるが、エラストマー要素は一時的に伸長させる活性化工程をラミネートに受けさせることにより、伸縮性（又は、更にある範囲を超えてより伸縮性）に作製される。不織布層は、シャーシ２２の少なくとも一部分と一体であってもよく、その場合、エラストマー要素は、不織布層に取り付けられてもよく、不織布／エラストマー要素ラミネートが、続いて活性化される。別の方法としては、不織布層は、別個の構成要素であってよく、その場合、エラストマー要素は、不織布層に取り付けられてラミネートを形成し、これが次いで主部に結合される。サイドパネルの１つ以上の層が別個に提供される場合、ラミネートは、主部に取り付けられる前又は後のいずれかで活性化され得る。ゼロ歪み活性化工程は、米国特許第５，１６７，８９７号及び同第５，１５６，７９３号に更に開示されている。好適な弾性耳部は、２つの不織布層（例えば供給元コードＦＰＮ３３２としてＢＢＡ  Ｆｉｂｅｒｗｅｂ（Ｂｒｅｎｔｗｏｏｄ、ＴＮ）から入手可能なもの等）の間に配設されたエラストマーフィルム（Ｔｒｅｄｅｇａｒ  Ｃｏｒｐ（Ｒｉｃｈｍｏｎｄ、ＶＡ）から供給元コードＸ２５００７として入手可能なもの等）を含む、活性化されたラミネートであり得る。
【００３９】
耳部４０、４２は個別であっても、又は一体化されていてもよい。個別の耳部は、シャーシ２２に接合される別個の要素として形成される。一体化された耳部は、長手方向縁部１２から横方向外側に突出するシャーシ２２の一部である。一体化された耳部は、耳部突出部の形状を含むようにシャーシ形状を切断することで形成され得る。
【００４０】
吸収性物品２０はまた、締結システム５０を含んでもよい。締結時、締結システム５０は、第１の腰部領域３６と後側腰部領域３８を相互に接続し、吸収性物品２０の着用時に着用者を取り囲むことができる腰部の周囲をもたらす。締結システム５０は、テープタブ、フック・ループ式締結構成要素、タブ・スロット等の嵌合締結具、バックル、ボタン、スナップ、及び／又は雌雄同体締結構成要素等の締結具を含んでもよいが、任意の他の既知の締結手段も、一般的に許容される。いくつかの例示の表面締結システムは、米国特許第３，８４８，５９４号、同第４，６６２，８７５号、同第４，８４６，８１５号、同第４，８９４，０６０号、同第４，９４６，５２７号、同第５，１５１，０９２号、及び同第５，２２１，２７４号に開示されている。例示の嵌合締結システムは、米国特許第６，４３２，０９８号に開示されている。締結システム５０は、米国特許第４，９６３，１４０号に開示されるように、使い捨て構成の物品を保持する手段も提供し得る。締結システム５０は、米国特許第４，６９９，６２２号に開示されるように、一次及び二次締結システムも含み得る。締結システム５０は、米国特許第５，２４２，４３６号、同第５，４９９，９７８号、同第５，５０７，７３６号、及び同第５，５９１，１５２号に開示されているように、重なり合っている部分のずれを低減するか、又はフィット性を改善するように構成されてもよい。
【００４１】
脚部ガスケットシステム：
吸収性物品２０は、シャーシ２２に取り付けられる脚部ガスケットシステム７０を含み得る。図２及び３は、図を横方向中心線１１０を通して取った、平らな非収縮状態にある図１の例示の脚部ガスケットシステムの概略断面図を描写する（図２は左側の脚部ガスケットシステムの概略断面図であり、図３はトップシートに対する両脚部ガスケットシステムの概略断面図である）。図４〜９も、図１の例示の脚部ガスケットシステム７０の概略断面図を描写する。図４〜６は、不透明性強化パッチ８０がない図１の使い捨て吸収性物品のバージョンの断面図であり、図７〜９は、不透明性強化パッチ８０を有する図１の使い捨て吸収性物品のバージョンの断片図である。図７〜９の物品において、不透明性強化パッチ８０は、おむつシャーシ２２の４つの角に位置し、バックシート２６の高分子フィルム内側層及び耳部４０、４２の両方の部分と重なり合う。図４及び７は、図１の線Ａ−Ａを通る概略断面図である。図５及び８は、図１の線Ｂ−Ｂを通る概略断面図である。図６及び９は、図１の線Ｃ−Ｃを通る概略断面図である。様々な物品において、脚部ガスケットシステム７０は、内側カフの折り畳まれた縁部７２及び内側カフの材料縁部７３を有する内側カフ７１を含み得る。脚部ガスケットシステム７０は、外側カフの折り畳まれた縁部７５及び外側カフの材料縁部７６を有する外側カフ７４を更に含み得る。
【００４２】
各脚部ガスケットシステム７０は、単一の連続材料ウェブを含み得る。単一の材料ウェブを有する脚部ガスケットシステムは、２つ以上の材料ウェブを有する脚部ガスケットシステムに対して、コスト面で有利であり得る。更に、１つの材料ウェブから形成された脚部ガスケットシステムは、２つ以上の材料ウェブを結合することにより作り出される穴が存在しないため、漏れがより少ない可能性がある。また、１つの材料ウェブを有する脚部ガスケットシステムは、目に見える機械的な結合部が少ないため、審美的により望ましいものとなり得る。脚部ガスケットシステム７０は、２つ以上の材料ウェブ（例えば、一緒に接合されて１つの材料ウェブになる複数の材料ウェブ、又は使い捨て吸収性物品シャーシとは別個であり、脚部ガスケットシステムの一部を形成する複数の個別の材料ウェブ）から形成され得る。したがって、脚部ガスケットシステム７０上の位置（例えば、折り畳まれた縁部、材料縁部等）は、「材料ウェブ」又は「材料ウェブの一部」に関して詳述される。「材料ウェブ（a web of material）」又は「材料ウェブ（the web of material）」の詳細説明は、単一の連続材料ウェブ、一緒に接合されて１つの材料ウェブになる複数の材料ウェブ、又は使い捨て吸収性物品シャーシとは別個であり、脚部ガスケットシステムの一部を形成する複数の個別の材料ウェブから形成され得る脚部ガスケットシステムを指す。全てのかかる脚部ガスケットシステムが企図される。
【００４３】
脚部ガスケットシステム７０は、内側カフの折り畳まれた縁部７２及び内側カフの材料縁部７３を有する内側カフ７１を含み得る。脚部ガスケットシステム７０は、外側カフの折り畳まれた縁部７５及び外側カフの材料縁部７６を有する外側カフ７４を更に含み得る。材料ウェブは、横方向内側に折り畳まれて（吸収性物品２０の長手方向中心線１００に向かって）、外側カフの折り畳まれた縁部７５を形成し、かつ横方向外側に折り畳まれて（吸収性物品２０の長手方向中心線１００から離れて）、内側カフの折り畳まれた縁部７２を形成し得る。
【００４４】
外側カフの折り畳まれた縁部７５と外側カフの材料縁部７６との間のウェブ材料の少なくとも一部は、第１の腰部領域３６、第２の腰部領域３８、及び股部領域３７においてシャーシ２２（例えば、トップシート２４、バックシート２６、及び／又は不透明性強化パッチ８０）に取り付けられ得る。シャーシ２２への取り付けは、１つ以上のカフ取り付け結合部４３、４４を利用することによって行われる。カフ取り付け結合部４３、４４のうちの１つ以上は、第１の腰部縁部１３から第２の腰部縁部１４まで連続しているか、又は実質的に連続していてもよい（例えば、連続的に断続的なパターンで）。図３〜６の例示の物品に見られるように、第１のカフ取り付け結合部４３は、外側カフの折り畳まれた縁部７５と外側カフの材料縁部７６との間の材料ウェブの少なくとも一部をトップシート２４に取り付ける。そして、第２のカフ取り付け結合部４４は、外側カフの折り畳まれた縁部７５と外側カフの材料縁部７６との間の材料ウェブの少なくとも一部をバックシート２６の内側層（例えば、バックシートフィルム）に取り付ける。図３〜６において、単一の第１のカフ取り付け結合部４３及び単一の第２のカフ取り付け結合部４４が示されるが、複数の第１のカフ取り付け結合部４３及び／又は複数の第２のフ取り付け結合部４４を有する物品が企図される。図７〜９に見られるように、第１のカフ取り付け結合部４３は、外側カフの折り畳まれた縁部７５と外側カフの材料縁部７６との間の材料ウェブの少なくとも一部をトップシート２４に取り付ける。そして、少なくとも１つの第２のカフ取り付け結合部４４は、外側カフの折り畳まれた縁部７５と外側カフの材料縁部７６との間の材料ウェブの少なくとも一部を、第１の腰部領域３６の少なくとも一部及び第２の腰部領域３８の少なくとも一部において不透明性強化パッチ８０に取り付ける。不透明性強化パッチは、少なくとも１つのＯＳＰ結合部（複数可）４６によりバックシート２６の内側層（例えば、バックシートフィルム）に取り付けられる。股部領域３７及び第１の腰部領域３６の一部並びに第２の腰部領域３８の一部において、外側カフの折り畳まれた縁部７５と外側カフの材料縁部７６との間の材料ウェブの少なくとも一部がカフ取り付け結合部４４によりバックシート２６（内側又は外側バックシート層）に取り付けられる。換言すれば、第１の腰部縁部１３から第２の腰部縁部１４まで、外側カフの折り畳まれた縁部７５と外側カフの材料縁部７６との間の材料ウェブの少なくとも一部は、連続する、又は実質的に連続する第２のカフ取り付け結合部（複数可）４４により、バックシート２６又は不透明性強化パッチ８０のいずれかに取り付けられる。図７〜９において、単一の第１のカフ取り付け結合部４３が示されるが、複数の第１のカフ取り付け結合部４３を有する物品が企図される。カフ取り付け結合部４３、４４及びＯＳＰ結合部４６は、糊、熱結合、圧力結合、ＣＰＷ結合、又は当該技術分野において既知の任意の他の結合方法の形態を取り得る。図３〜９において、カフ取り付け結合部４３、４４及びＯＳＰ結合部４６は、糊結合の形態を取る。
【００４５】
更に、内側カフの折り畳まれた縁部７２と外側カフの折り畳まれた縁部７５との間のウェブ材料の少なくとも一部は、少なくとも股部領域３７及び第１の腰部領域３６において、外側カフの折り畳まれた縁部７５と外側カフの材料縁部７６との間の材料ウェブの少なくとも一部に取り付けられる。少なくとも股部領域３７及び第１の腰部領域３６における、内側カフの折り畳まれた縁部７２と外側カフの折り畳まれた縁部７５との間のウェブ材料の、外側カフの折り畳まれた縁部７５と外側カフの材料縁部７６との間の材料ウェブへの取り付けは、１つ以上のカフ離隔結合部４５を利用することによって行われる。図１〜９に見られるように、カフ離隔結合部は、股部領域３７、第１の腰部領域３６、及び第２の腰部領域３８の一部において、内側カフの折り畳まれた縁部７２と外側カフの折り畳まれた縁部７５との間のウェブ材料の少なくとも一部を、外側カフの折り畳まれた縁部７５と外側カフの材料縁部７６との間の材料ウェブに取り付ける。カフ離隔結合部４５は、糊、熱結合、圧力結合、ＣＰＷ結合、又は当該技術分野において既知の任意の他の結合方法の形態を取り得る。図３〜９において、カフ離隔結合部４５は、糊結合の形態を取る。
【００４６】
図１及び４〜９に図示されるように、内側カフの折り畳まれた縁部７２と外側カフの折り畳まれた縁部７５との間のウェブ材料は、第２の腰部領域３８の少なくとも一部において、外側カフの折り畳まれた縁部７５と外側カフの材料縁部７６との間の材料ウェブに取り付けられない。第２の腰部領域３８の少なくとも一部において、内側カフの折り畳まれた縁部７２と外側カフの折り畳まれた縁部７５との間のウェブ材料が外側カフの折り畳まれた縁部７５と外側カフの材料縁部７６との間の材料ウェブに取り付けられないため、脚部ガスケットシステムポケット４７が脚部ガスケットシステム７０の第２の腰部領域の少なくとも一部に形成される。脚部ガスケットシステムポケット４７は、脚部ガスケットシステムポケットの横方向の寸法を画定する内側寄りの長手方向縁部４８及び外側寄りの長手方向縁部４９を含む。脚部ガスケットシステムポケット４７の内側寄りの長手方向縁部４８は、カフ離隔結合部４５が長手方向に沿って延びる線と隣接し得る。外側寄りの長手方向縁部４９は、外側カフの折り畳まれた縁部７５と隣接し得る。別の方法としては、外側寄りの長手方向縁部４９は、外側カフ７４の最も外側寄りの結合部と隣接し得る。
【００４７】
脚部ガスケットシステムポケット４７は、脚部ガスケットシステムポケット４７の内側寄りの長手方向縁部４８に沿ってある距離を延びる開口部５１を含み得る。開口部５１は、カフ離隔結合部４５の破断によって作り出される。図１を参照すると、カフ離隔結合部４５は、吸収性物品の長手方向に延び、第１の腰部領域３６及び股部領域３７において連続しているか、又は実質的に連続している（例えば、連続的に断続的なパターンで）。連続するカフ離隔結合部４５は、第２の腰部領域３８まで続くが、次に規定距離の間停止し、その後再び同じ長手方向線に沿って開始する。カフ離隔結合部４５がその長手方向線に沿って停止する距離は、内側カフの折り畳まれた縁部７２と外側カフの折り畳まれた縁部７５との間のウェブ材料が外側カフの折り畳まれた縁部７５と外側カフの材料縁部７６との間の材料ウェブに取り付けられない距離である。したがって、この距離は、脚部ガスケットシステムポケット４７の内側寄りの長手方向縁部４８に沿って延びる開口部５１の長さである。開口部５１は、カフ離隔結合部４５がカフ離隔結合部４５が延びる長手方向線に沿って開始及び停止する、内側寄りの横方向縁部５２及び外側寄りの横方向縁部５３を有する。図１に図示するように、開口部５１の長さは、カフ離隔結合部４５が延びるカフ長手方向線に沿って取った、内側寄りの横方向縁部５２と外側寄りの横方向縁部５３との間の距離を測定することにより決定され得る。
【００４８】
脚部ガスケットシステムポケット４７は、脚部ガスケットシステムポケット４７の内側寄りの長手方向縁部４８に沿ってある距離を延びる開口部５１を含み得る。開口部５１は、カフ離隔結合部４５の一連の破断によって作り出される。図１を参照すると、カフ離隔結合部４５は、吸収性物品の長手方向に延び、第１の腰部領域３６及び股部領域３７において連続している。連続するカフ離隔結合部４５は、第２の腰部領域３８まで続くが、次に規定距離の間、断続的な結合パターン（例えば、停止−開始−停止−開始）となり、次に同じ長手方向線に沿って再び連続する。カフ離隔結合部４５がその長手方向線に沿って断続的な結合パターンとなる距離は、内側カフの折り畳まれた縁部７２と外側カフの折り畳まれた縁部７５との間のウェブ材料が外側カフの折り畳まれた縁部７５と外側カフの材料縁部７６との間の材料ウェブに断続的に取り付けられる距離である。カフ離隔結合部４５の距離のこの断続的パターンは、本明細書においてまとめて脚部ガスケットシステムポケットと称される、一連の小さいポケットを作り出す。
【００４９】
ポケット及び開口部は、特定のタイプの滲出物及び漏れ防止が所望される特定の状況の必要に応じて、第１の腰部領域、第２の腰部領域、又は股部領域に存在し得る。例えば、うつ伏せ（前側）に寝る着用者は、睡眠時に前側腰部からの尿の漏れを防止するために、ポケット及び開口部が前側腰部領域に位置することによって利益を得ることができる。同様に、起立位のときの重力の力に起因して物品の中央に位置する可能性が高い滲出物を封じ込めるために、起立位で物品を着用する使用者のために、股部領域上に開口部を作り出すことが重要であり得る。
【００５０】
開口部５１の長さは、長手方向に約５ｍｍ〜約１００ｍｍ、又は約５ｍｍ〜約１００ｍｍの範囲内の任意の範囲若しくは距離あってもよく、いくつかの物品では、開口部の長さは約７５ｍｍ若しくは約５０ｍｍあり、他の物品では、開口部の長さは約１ｍｍ〜約２０ｍｍある。開口部５１の長さは、脚部ガスケットシステムポケット４７の全体的な長手方向長さの約１％〜約７５％（又は約１％〜約７５％の範囲内の任意の範囲若しくは百分率）であり得る。脚部ガスケットシステムポケット４７の全体的な長手方向長さは、ポケットの最も遠い長手方向に内側寄りの部分からポケットの最も遠い長手方向に外側寄りの部分までの距離である。図１に示されるように、脚部ガスケットシステムポケット４７の全体的な長手方向長さは、カフ離隔結合部４５が延びる長手方向線に沿って取った、吸収性物品２０の開口部５１の内側寄りの横方向縁部５２から第２の腰部縁部１４までの距離である。換言すれば、図１に示される物品に関して、脚部ガスケットシステムポケット４７の長手方向の寸法は、開口部５１の内側寄りの横方向縁部５２及び第２の腰部縁部１４によって画定される。脚部ガスケットシステムポケット４７の全体的な長手方向長さは、長手方向に約５ｍｍ〜約２００ｍｍ、又は約５ｍｍ〜約２００ｍｍの範囲内の任意の範囲若しくは距離あってもよく、いくつかの物品では、約１００ｍｍ、約７５ｍｍ、若しくは約５０ｍｍあり、別の方法としては、全体的な長手方向長さは約１ｍｍ〜約２０ｍｍある。
【００５１】
脚部ガスケットシステムポケット４７の全体的な横方向幅は、ポケットの最も遠い横方向内側寄りの部分からポケットの最も遠い横方向外側寄りの部分までの距離である。図１に示される物品に関して、脚部ガスケットシステムポケット４７の全体的な横方向幅は、第２の腰部縁部１４と平行し、脚部ガスケットシステムポケットの開口部５１の中央を中心とする線に沿って取った、脚部ガスケットシステムポケットの内側寄りの長手方向縁部４８から脚部ガスケットシステムポケットの外側寄り長手方向縁部４９までの距離である。換言すれば、図１に示される例示の物品に関して、脚部ガスケットシステムポケット４７の横方向の寸法（すなわち、幅）は、脚部ガスケットシステムポケット４７の内側寄り及び外側寄りの長手方向縁部４８、４９によって画定される。脚部ガスケットシステムポケット４７の全体的な横方向幅の長さは、横方向に約５ｍｍ〜約６０ｍｍ、又は約５ｍｍ〜約６０ｍｍの範囲内の任意の範囲若しくは距離あってもよく、いくつかの物品では、約３０ｍｍ、約２５ｍｍ、若しくは約２０ｍｍあり、他の物品では、全体的な横方向幅の長さは約１ｍｍ〜約２０ｍｍある。脚部ガスケットシステムポケット４７の全体的な横方向幅は、脚部ガスケットシステムポケット４７の全体的な横方向長さの約１〜約７５％（又は約１％〜約７５％の範囲内の任意の範囲若しくは百分率）であり得る。開口部５１の長さは、脚部ガスケットシステムポケット４７の全体的な横方向幅の約２０％〜約１００％（又は約２０％〜約１００％の範囲内の任意の範囲若しくは百分率）であり得る。
【００５２】
吸収性物品の着用者が流動状の排便を有するとき、何回も流動状の排便が排便時に広がり、脚部カフと着用者の脚部との間の区域、又は腰部領域と着用者の背部との間の区域において吸収性物品から漏れ出る。このタイプの漏れは、多くの場合、使用者の身体と取り付けられた吸収性物品との間のぴったりとしたフィットが着用者の運動中に吸収性物品内に封じ込められたままであるのに十分なスペースを流動状の排便に与えないために起こる。本明細書に詳述される脚部ガスケットシステムポケット４７の１つの利点は、本明細書に詳述される脚部ガスケットシステム（複数可）との組み合わせで、身体押出物（例えば、糞便物質）の封じ込めのための、脚部カフ内に余分な間隙容積を提供する追加のポケット付き区域である。着用者が移動するとき、身体押出物の一部は、封じ込めのための脚部ガスケットシステムポケット４７内に移動し、着用者の背部と吸収性物品の後側腰部領域との間の区域、又は吸収性物品の脚部カフと着用者の脚部との間の区域に漏れ出る前に脚部ガスケットシステム内の２層の不織布間に保持／捕捉される。よって、本明細書に詳述される脚部ガスケットシステムポケット４７は漏れを低減する。更に、脚部ガスケットシステムポケット４７は、糞便物質を受け取るために、脚部カフ内に追加の間隙容積を提供し、これは着用者の皮膚から糞便物質を隔離するのに役立ち、離隔シートによって前側に向かう流れを制限する。
【００５３】
脚部ガスケットシステムポケット４７は弾性部材７７を含まないことが可能である。脚部ガスケットシステムポケット４７は、１つ以上のスナップバック弾性部材を含み得る。脚部ガスケットシステムポケット４７は、吸収性物品の第２の腰部縁部１４に沿って第２の開口部５５を有し得る。脚部ガスケットシステムポケット４７は、第２の腰部縁部１４に沿って封止され得る。
【００５４】
外側カフの折り畳まれた縁部７５と外側カフの材料縁部７６との間の材料ウェブの少なくとも一部は、第１の腰部領域３６、第２の腰部領域３８、及び股部領域３７においてシャーシ２２（例えば、トップシート２４、バックシート２６、及び／又は不透明性強化パッチ８０）に取り付けられ得、内側カフの折り畳まれた縁部７２と外側カフの折り畳まれた縁部７５との間の材料ウェブの少なくとも一部は、股部領域３７及び第１の腰部領域３６において外側カフの折り畳まれた縁部７５と外側カフの材料縁部７６との間の材料ウェブに取り付けられ得、外側カフは、外側カフの折り畳まれた縁部７５と平行して延びる弾性体接着剤７９及び少なくとも１つの長手方向に配向された弾性部材を含み、弾性体接着剤７９及び少なくとも１つの弾性部材は、１）外側カフの折り畳まれた縁部７５と外側カフの材料縁部７６との間の材料ウェブと、２）外側カフの折り畳まれた縁部７５と内側カフの折り畳まれた縁部７２との間の材料ウェブとの間に配設され、第２の腰部領域の少なくとも一部において、外側カフは、弾性体接着剤７９及び弾性部材７７を含まず、よって、１）外側カフの折り畳まれた縁部７５と外側カフの材料縁部７６との間の材料ウェブと、２）外側カフの折り畳まれた縁部７５と内側カフの折り畳まれた縁部７２との間の材料ウェブと、の間に脚部ガスケットシステムポケット４７を形成し、この脚部ガスケットシステムポケット４７は、外側カフの折り畳まれた縁部７５に外側寄りの長手方向縁部４９を有し、脚部ガスケットシステムポケット４７は、脚部ガスケットシステムポケットの内側寄りの長手方向縁部４８上に開口部５１を含む。
【００５５】
ポケット４７は、ポケットの外辺部の少なくとも一部（例えば、ポケットの外辺部全体）を画定する熱結合部又は圧縮結合部を含み得、それにより、ポケット４７の少なくとも一部（例えば、ポケット全体）が、使用前にポケット４７の機能性を示すために着用者又は介護者に見えるようにすることができる。
【００５６】
ポケット４７は、シャーシの横方向縁部に延在し、流動状の排便の流れを容易にするためのチャネルを作り出し得る。この開口チャネル区域は、糊、機械的結合、熱結合等の任意の好適な結合技法により封止することができる。
【００５７】
低表面張力裏抜け又は静水頭等の疎水性特性は、ポケットを含む材料を通して滲出物が漏れるのを防止するような方法で、ポケット４７の少なくとも一部において増強され得る。したがって、これは、封じ込められた糞便物質の着用者からの隔離を維持する。疎水性特性の増強は、疎水性コーティング、インク、糊、シリコーン、追加材料、若しくはこれらの任意の組み合わせを適用することにより、又は当該技術分野において既知の任意の他の手段により達成され得る。
【００５８】
外側カフ７４及び内側カフ７１は、同じ色であり得る。外側カフ７４及び内側カフ７１は、異なる色であり得る。脚部ガスケットシステム７０のカフのうちの１つ以上に追加の印刷がされてもよい。内側及び外側のカフの両方に印刷がされている物品において、各カフに同じ又は異なる印刷がされてもよい。
【００５９】
脚部ガスケットシステム７０は、利益が使用前に示され得るようにポケット４７の少なくとも一部の輪郭を描くか又は画定する印刷ゾーンを含み得る。
【００６０】
外側カフ７４は、外側カフの折り畳まれた縁部７５と外側カフの材料縁部７６との間に、横方向配列に位置付けられた弾性部材７７を含み得る。図２〜４に図示されるように、弾性体７７、７８は、弾性体接着剤７９により外側カフを形成する材料ウェブの一部に取り付けられる。弾性体は、１）外側カフの折り畳まれた縁部７５と外側カフの材料縁部７６との間の材料ウェブの一部と、２）外側カフの折り畳まれた縁部７５と内側カフの折り畳まれた縁部７２との間の材料ウェブの一部と、の間に位置付けられ得る。外側カフ７４は、少なくとも２つの弾性部材７７、少なくとも３つの弾性部材７７、少なくとも４つの弾性部材７７、少なくとも５つの弾性部材７７、又は少なくとも６つの弾性部材７７を含み得る。弾性部材７７は、外側カフの折り畳まれた縁部７５と内側カフの材料縁部７３との間に配設され得る。
【００６１】
内側カフ７１は、内側カフの折り畳まれた縁部７２と内側カフの材料縁部７３との間に、横方向配列に位置付けられた一連の弾性部材７８を含み得る。弾性体は、弾性体接着剤７９により内側カフを形成する材料ウェブの一部に取り付けられる。弾性体は、１）内側カフの折り畳まれた縁部７２と内側カフの材料縁部７３との間の材料ウェブの一部と、２）内側カフの折り畳まれた縁部７２と外側カフの折り畳まれた縁部７５との間の材料ウェブの一部と、の間に位置付けられ得る。内側カフ７１は、少なくとも１つの弾性部材７８、少なくとも２つの弾性部材７８、少なくとも３つの弾性部材７８、少なくとも４つの弾性部材７８、又は少なくとも５つの弾性部材７８を含み得る。弾性部材７８は、内側カフの折り畳まれた縁部７２と外側カフの材料縁部７６との間に配設され得る。
【００６２】
外側カフ７４は、内側カフ７１の弾性部材（複数可）７８よりも少なくとも１つ多い弾性部材７７を含み得る。内側カフの材料縁部７３は、外側カフの材料縁部７６の横方向外側寄りであり得る。
【００６３】
弾性部材７７及び７８は、部材の一方の縁部から部材の他方の縁部まで少なくとも２ｍｍ離れて、必要に応じて少なくとも３ｍｍ離れて、必要に応じて少なくとも３．５ｍｍ離れて、必要に応じて少なくとも４ｍｍ離れて、必要に応じて少なくとも４．５ｍｍ離れて、必要に応じて少なくとも５ｍｍ離れて、必要に応じて少なくとも５．５ｍｍ離れて、必要に応じて少なくとも６ｍｍ離れて、必要に応じて少なくとも６．５ｍｍ離れて、必要に応じて少なくとも７ｍｍ離れて、必要に応じて少なくとも７．５ｍｍ離れて、必要に応じて少なくとも８ｍｍ離れて、必要に応じて少なくとも８．５ｍｍ離れて、必要に応じて少なくとも９ｍｍ離れて、必要に応じて少なくとも９．５ｍｍ離れて、必要に応じて少なくとも１０ｍｍ離れて、必要に応じて少なくとも１０．５ｍｍ離れて、必要に応じて少なくとも１１ｍｍ離れて、必要に応じて少なくとも１１．５ｍｍ離れて、必要に応じて少なくとも１２ｍｍ離れて、離間配置され得る。最も外側の弾性部材７７及び７８は、外側カフの材料縁部７６及び内側カフの材料縁部７３から約２ｍｍ未満、必要に応じて約１．５ｍｍ未満、約１ｍｍ未満であり得る。
【００６４】
外側カフ７４は、約４ｍｍ離れている４つの弾性部材７７を有し得る。外側カフ７４は、約２ｍｍ／７ｍｍ／２ｍｍ離れている４つの弾性部材を有し得る。外側カフ７４は、約６ｍｍ離れている３つの弾性部材７７を有し得る。外側カフ７４は、約１２ｍｍ離れている２つの弾性部材を有し得る。外側カフ７４は、外側カフの折り畳まれた縁部７５から離間配置されるように、約３ｍｍ／６ｍｍ／３ｍｍ離れている４つの弾性部材を有し得る。弾性部材は、外側カフの折り畳まれた縁部７５から約２ｍｍ、必要に応じて外側カフの折り畳まれた縁部７５から約０ｍｍであってもよい。
【００６５】
脚部ガスケットシステム７０は、内側カフの折り畳まれた縁部７２及び内側カフの材料縁部７３を含む内側カフ７１を有し得る。脚部ガスケットシステム７０は、外側カフの折り畳まれた縁部７５と外側カフの材料縁部７６とを含む、外側カフ７４を更に含み得る。脚部ガスケットシステムは、内側カフ７１を含む第１の材料と、外側カフ７４を含む第２の材料とを含み得る。第１及び第２の材料は重なり合い、任意の好適な結合手段により、各材料の長手方向縁部に沿って一緒に接合される（すなわち、単一ウェブ）か、又は別個の材料ウェブであり得る。材料ウェブは横方向内側に折り畳まれて外側カフの折り畳まれた縁部７５を形成し、かつ横方向外側に折り畳まれて内側カフの折り畳まれた縁部７２を形成し得る。外側カフ７４の近位縁部は隣接し得る。外側カフ７４の近位縁部は約２ｍｍ超離れて、約４ｍｍ超離れて、約６ｍｍ超離れて、約１０ｍｍ超離れて、離間配置され得る。カフの近位材料縁部は両方とも、内側カフに結合され得る。外側カフ７４の近位材料縁部の一方のみが、内側カフに結合され得る。外側カフの近位材料縁部は、任意の好適な結合手段を用いて一緒に保持される。
【００６６】
脚部ガスケットシステム７０は、約１０ｍｍ、必要に応じて約２０ｍｍ、必要に応じて約３０ｍｍ、必要に応じて約６０ｍｍ、又はそれを超えて、シャーシの長手方向縁部１２の横方向内側に離間配置され得る。シャーシの横方向外側寄りの縁部は、外側カフの横方向縁部によって画定され得る。バックシート及び／又は高分子フィルムは、約１０ｍｍ、必要に応じて約２０ｍｍ、必要に応じて約３０ｍｍ、必要に応じて約４０ｍｍ、外側カフ縁部の横方向内側に離間配置され得る。
【００６７】
脚部ガスケットシステム７０の横方向外側寄りの縁部は、腰部領域の少なくとも１つにおいて、物品の長手方向縁部の少なくとも一部の横方向内側寄りに配設され得る。よって、前側耳部４０及び／又は後側耳部４２は、脚部ガスケットシステム７０を過ぎて延在し得る。
【００６８】
内側カフ７１の高さは、少なくとも約１０ｍｍ、少なくとも約２０ｍｍ、少なくとも約３０ｍｍ、少なくとも約３２ｍｍ、少なくとも約３５ｍｍ、少なくとも約３８ｍｍであり得る。内側カフ７４の高さは、少なくとも約１５ｍｍ、少なくとも約２３ｍｍ、少なくとも約２５ｍｍ、少なくとも約２７ｍｍ、少なくとも約３０ｍｍであり得る。内側カフの高さは、股部領域において、内側カフの折り畳まれた縁部７２から、内側カフの材料縁部７３を越えた材料への第１の接続点までで測定される。外側カフの高さは、股部領域において、外側カフの折り畳まれた縁部７５から、内側カフ７２が、内側カフの材料縁部７３を越えた材料に対して有する、第１の接続点までで測定される。よって、内側及び外側のカフは、それらのそれぞれの折り畳まれた縁部から、内側カフが、内側カフの材料縁部を越えた第１の材料に接続される点までで測定される。
【００６９】
本明細書に詳述される脚部ガスケットシステム７０の１つの利点は、実質的に液体不透過性材料をカフの構成体で使用するとき、高分子フィルム層を狭めるか又は全く存在させないことが可能であり、よりコスト効果の高い設計をもたらすことである。より信頼性の高い加工を行う接着剤技術を利用することによって、より信頼性の高い性能が得られ、実質的に液体不透過性の封止部が作り出される。この技術は、余分に重複するシール部に対する必要性を低減させるため、フィルム層を狭くすることが可能となり、吸収性コアよりも若干広い程度の狭いフィルム層とすることが可能となる。
【００７０】
バックシートの高分子フィルムは、吸収性コアよりも約５０ｍｍ未満広い、必要に応じて約４０ｍｍ未満広い、約３０ｍｍ未満広いことが可能である。バックシートの高分子フィルムはシャーシ幅よりも、少なくとも約２０ｍｍ狭い、必要に応じてシャーシ幅よりも少なくとも約４０ｍｍ狭い、必要に応じてシャーシ幅よりも少なくとも約６０ｍｍ狭い、必要に応じてシャーシ幅よりも少なくとも約８０ｍｍ狭い、必要に応じてシャーシ幅よりも少なくとも約１００ｍｍ狭い、必要に応じてシャーシ幅よりも少なくとも約１２０ｍｍ狭いことが可能である。
【００７１】
脚部カフは、スロットコーティングした接着剤で、トップシート及び／又はバックシートに接合され得る。少なくとも約１２ｇｓｍの接着剤が適用され得、必要に応じて少なくとも約１５ｇｓｍの接着剤が適用され、必要に応じて少なくとも約２０ｇｓｍの接着剤が適用され、必要に応じて少なくとも約２５ｇｓｍの接着剤が適用され、必要に応じて少なくとも約４０ｇｓｍの接着剤が適用され、必要に応じて少なくとも約６０ｇｓｍの接着剤が適用される。接着剤は、少なくとも約１ｍｍ幅、必要に応じて少なくとも約３ｍｍ幅、必要に応じて少なくとも約７ｍｍ幅であってもよい。接着剤は、フィルムの外側寄りの横方向縁部の少なくとも約２ｍｍ内側寄り、必要に応じて、フィルムの外側寄りの横方向縁部の少なくとも約４ｍｍ内側寄り、必要に応じて、フィルムの外側寄りの横方向縁部の少なくとも約６ｍｍ内側寄りであってもよい。脚部カフは、２つの重なり合い、重複するスパイラル接着剤スプレーで、必要に応じて３つの重なり合い、重複するスパイラル接着剤スプレーで、トップシート及び／又はバックシートに接合され得る。
【００７２】
滲出物の捕捉を可能にするポケット４７及び開口部５１を含む本発明の説明は、吸収性コアを含まない物品と共に使用され得る。これは、滲出物が製品に吸収されることなく、容易に分析用の滲出物の回収を可能にすることができるため、医療産業において使用するように設計される製品に有用である。
【００７３】
本明細書に詳述される吸収性物品に有用であり得る更なる例示の脚部ガスケットシステム７０は、添付の図面の図１１ａ〜１１ｔに示される。
【００７４】
腰部ガスケット要素：
使い捨て吸収性物品２０は、シャーシ２２及び脚部ガスケットシステム７０の両方に取り付けられる少なくとも１つの腰部ガスケット要素８１を含み得る。図１２は、第２の腰部領域３８に腰部ガスケット要素８１を含む、本明細書に詳述される使い捨て吸収性物品２０の概略図である。図１３は、図１２の第２の腰部領域３８の拡大概略図である。図１４は、図を長手方向中心線１００を通して取った、平らな非収縮状態にある図１３の例示の第２の腰部領域３８の概略断面図を描写する。図１５〜１８も、図１３の第２の腰部領域３８の概略断面図を描写する。図１５及び１７は、図１３の線Ｄ−Ｄを通る概略断面図である。図１６及び１８は、図１３の線Ｅ−Ｅを通る概略断面図である。
【００７５】
少なくとも１つの腰部ガスケット要素８１は、単一の連続材料ウェブを含み得る。単一の材料ウェブを有する吸収性物品は、２つ以上の材料ウェブを有する吸収性物品に対して、コスト面で有利であり得る。更に、１つの材料ウェブから形成された腰部ガスケット要素は、２つ以上の材料ウェブを結合することにより作り出される穴が存在しないため、漏れがより少ない可能性がある。また、１つの材料ウェブを有する吸収性物品は、目に見える結合部が少ないため、審美的により望ましいものとなり得る。腰部ガスケット要素（複数可）８１は、２つ以上の材料ウェブ（例えば、一緒に接合されて１つの材料ウェブになる複数の材料ウェブ、又は使い捨て吸収性物品シャーシとは別個であり、腰部ガスケット要素の一部を形成する複数の個別の材料ウェブ）から形成され得る。よって、腰部ガスケット要素８１上の位置（例えば、折り畳まれた縁部、材料縁部等）は、「材料ウェブ」又は「材料ウェブの一部」に関して詳述される。「材料ウェブ（a web of material）」又は「材料ウェブ（the web of material）」の詳細説明は、単一の連続材料ウェブ、一緒に接合されて１つの材料ウェブになる複数の材料ウェブ、折り畳まれて同じ材料の複数層を形成する単一材料、裂いて一緒に再接合される単一材料、又は使い捨て吸収性物品シャーシとは別個であり、脚部ガスケットシステムの一部を形成する複数の個別の材料ウェブから形成され得る腰部ガスケット要素を指す。全てのかかる吸収性物品が企図される。
【００７６】
腰部ガスケット要素８１は、内側寄りの横方向縁部８２、外側寄りの横方向縁部８３、及び２つの長手方向縁部８４を含み得る。腰部ガスケット要素８１を形成する材料ウェブは、長手方向に外側に折り畳まれて（吸収性物品２０の横方向中心線１１０から離れて）、内側寄りの横方向縁部８２を形成し得る。内側寄りの横方向縁部８２は、腰部ガスケット要素の折り畳まれた縁部８９の位置であってもよく、外側寄りの横方向縁部８３はまた、腰部ガスケット要素の第１の材料縁部９０及び腰部ガスケット要素の第２の材料縁部９１の位置であってもよい。１つの折り畳まれた縁部８９及び２つの材料縁部９０、９１を有する腰部ガスケット要素８１を描写する吸収性物品が図１３〜１８に示されるが、代替の有用な腰部ガスケット要素の構成体が企図される。例えば、代替の腰部ガスケット要素８１は、２つの別々の材料ウェブを含み得、したがって、４つの材料縁部（内側寄りの横方向縁部８２上に２つ、そして外側寄りの横方向縁部８３上に２つ）を有する。別の例として、代替の腰部ガスケット要素は、２つの折り畳まれた縁部（内側寄りの横方向縁部８２上に１つ、そして外側寄りの横方向縁部８３上に１つ）及び２つの材料縁部を有するように形成される連続材料ウェブを有し得る。
【００７７】
更に、腰部ガスケット要素８１は、１）使い捨て吸収性物品２０のシャーシ２２、及び２）脚部ガスケットシステム７０に取り付けられ、それにより、腰部ガスケット要素８１の外側寄りの横方向縁部８３の少なくとも一部が、シャーシ２２に取り付けられ、腰部ガスケット要素８１の外側寄りの横方向縁部８３の少なくとも一部が、脚部ガスケットシステム７０の材料ウェブに取り付けられ、かつ腰部ガスケット要素８１の内側寄りの横方向縁部８２は、使い捨て吸収性物品２０のシャーシ２２には取り付けられない。腰部ガスケット要素の折り畳まれた縁部８９、腰部ガスケット要素の第１の材料縁部９０、及び腰部ガスケット要素の第２の材料縁部９１を有する腰部ガスケット要素８１を含む吸収性物品において、腰部ガスケット要素の折り畳まれた縁部８９と腰部ガスケット要素の第２の材料縁部９１との間の材料ウェブの少なくとも一部は、シャーシ２２のトップシート２４及び／又はバックシート２６に取り付けられる。腰部ガスケット要素８１のシャーシ２２への取り付けは、１つ以上の外側寄りの横方向縁部結合部８５を利用することによって行われる。図１２〜１４の吸収性物品に見られるように、外側寄りの横方向縁部結合部８５は、腰部ガスケット要素の折り畳まれた縁部８９と腰部ガスケット要素の第２の材料縁部９１との間の腰部ガスケット要素の材料ウェブの少なくとも一部をトップシート２４に取り付ける。取り付け結合部８５は、シャーシ２２の第２の腰部縁部１４であり得る。取り付け結合部は、シャーシの腰部縁部から少なくとも２ｍｍ内側寄り、シャーシの腰部縁部から少なくとも１０ｍｍ内側寄り、シャーシの腰部縁部から少なくとも２０ｍｍ内側寄り、シャーシの腰部縁部から少なくとも５０ｍｍ内側寄り、又はシャーシの腰部縁部から約２ｍｍ〜約５０ｍｍ内側寄りの範囲内の任意の範囲若しくは距離に設置され得る。外側寄りの横方向縁部の結合部８５は、糊、熱結合、圧力結合、ＣＰＷ結合、又は当該技術分野において既知の任意の他の結合方法の形態を取り得る。図１２〜１４の吸収性物品において、外側寄りの横方向縁部の結合部８５は、糊結合、熱結合、又は圧縮結合の形態を取る。
【００７８】
腰部ガスケット要素の折り畳まれた縁部８９、腰部ガスケット要素の第１の材料縁部９０、及び腰部ガスケット要素の第２の材料縁部９１を有する腰部ガスケット要素８１を含む吸収性物品において、腰部ガスケット要素の折り畳まれた縁部８９と腰部ガスケット要素の第２の材料縁部９１との間の材料ウェブの少なくとも一部は、脚部ガスケットシステム７０を形成する材料ウェブに取り付けられる。腰部ガスケット要素８１の脚部ガスケットシステム７０を形成する材料ウェブへの取り付けは、１つ以上の長手方向縁部の結合部（複数可）８６を利用することによって行われる。図１２〜１８の吸収性物品に見られるように、長手方向縁部の結合部８６は、腰部ガスケット要素の折り畳まれた縁部８９と腰部ガスケット要素の第２の材料縁部９１との間の腰部ガスケット要素の材料ウェブの少なくとも一部を、脚部ガスケットシステム７０を形成する材料ウェブに取り付ける。図１５〜１６に図示される吸収性物品において、長手方向縁部の結合部８６は、腰部ガスケット要素８１の長手方向縁部８４に近接して位置する（又はそれと隣接し得る）。別の吸収性物品において（図示せず）、長手方向縁部の結合部８６は、脚部ガスケットシステム７０の内側カフの折り畳まれた縁部７２に近接して位置する（又はそれと隣接し得る）。図１７〜１８に図示される吸収性物品において、長手方向縁部の結合部８６は、図１５〜１６の吸収性物品より広く、１）腰部ガスケット要素８１の長手方向縁部８４と、２）脚部ガスケットシステム７０の内側カフの折り畳まれた縁部７２との間の距離に及ぶ。換言すれば、具体的に図１７〜１８に示される吸収性物品の長手方向縁部の結合部８６に関して、腰部ガスケット要素８１は、脚部ガスケットシステム７０が腰部ガスケット要素８１と重なり合う実質的に全区域にわたって脚部ガスケットシステム７０に取り付けられる。腰部ガスケット要素８１は、脚部ガスケットシステム７０が腰部ガスケット要素８１と重なり合う全区域の約５０％超、約６０％超、約７０％超、約８０％超、約９０％超、又は約９５％超にわたって脚部ガスケットシステム７０に取り付けられ得る。長手方向縁部の結合部８６は、糊、熱結合、圧力結合、ＣＰＷ結合、又は当該技術分野において既知の任意の他の結合方法の形態を取り得る。図１２〜１８の吸収性物品において、長手方向縁部の結合部８６は、糊結合、熱結合、又は圧縮結合の形態を取る。
【００７９】
腰部ガスケット要素の折り畳まれた縁部８９と腰部ガスケット要素の第１の材料縁部９０との間のウェブ材料の一部は、少なくとも１つの腰部ガスケット要素結合部９２により、腰部ガスケット要素の折り畳まれた縁部８９と腰部ガスケット要素の第２の材料縁部９１との間のウェブ材料の一部に取り付けられ得る。図１２〜１４に図示される吸収性物品において、腰部ガスケット要素結合部９２は、腰部ガスケット要素の第１の材料縁部９０及び腰部ガスケット要素の第２の材料縁部９１に近接して位置する（腰部ガスケット要素結合部９２は、腰部ガスケット要素の第２の材料縁部９１とも隣接し得る）。腰部ガスケット要素結合部９２は、糊、熱結合、圧力結合、ＣＰＷ結合、又は当該技術分野において既知の任意の他の結合方法の形態を取り得る。図１２〜１４の吸収性物品において、腰部ガスケット要素結合部９２は糊結合の形態を取る。
【００８０】
図１２〜１８に図示されるように、腰部ガスケット要素８１の内側寄りの横方向縁部８２は、使い捨て吸収性物品２０のシャーシ２２に取り付けられない。腰部ガスケット要素８１がシャーシ２２に取り付けられないため、腰部ガスケット要素ポケット９３が形成される。腰部ガスケット要素ポケット９３は図１４に図示される。腰部ガスケット要素ポケット９３は、腰部ガスケット要素ポケット９３の長手方向の長さ寸法を画定する内側寄りの横方向縁部９４及び外側寄りの横方向縁部９５を含む。腰部ガスケット要素ポケット９３の内側寄りの横方向縁部９４は、腰部ガスケット要素の折り畳まれた縁部８９と隣接し得る。腰部ガスケット要素ポケット９３の外側寄りの横方向縁部９５は、外側寄りの横方向縁部の結合部８５と隣接し得る。外側寄りの横方向縁部９５は、腰部ガスケット要素８１の最も外側寄りの結合部と隣接し得る。腰部ガスケット要素ポケット９３は、腰部ガスケット要素ポケット９３の内側寄りの横方向縁部９４に沿ってある距離を延びる開口部９６を含む。
【００８１】
図１３に示される吸収性物品に関して、腰部ガスケット要素ポケット９３の全体的な長手方向長さは、腰部ガスケット要素ポケットの腰部ガスケット要素の折り畳まれた縁部８９から、外側寄りの横方向縁部の結合部８５までの距離である。換言すれば、図１３に示される吸収性物品に関して、脚部ガスケット要素ポケット９３の長手方向の寸法は、腰部ガスケット要素の折り畳まれた縁部８９及び外側寄りの横方向縁部の結合部８５によって画定される。腰部ガスケット要素ポケット９３の全体的な長手方向長さは、長手方向に約５ｍｍ〜約１００ｍｍ、又は約５ｍｍ〜約１００ｍｍの範囲内の任意の範囲若しくは距離あってもよく、いくつかの吸収性物品では、約６０ｍｍ、約４０ｍｍ、若しくは約３５ｍｍあり、他の吸収性物品では、全体的な長手方向長さは約１ｍｍ〜約３０ｍｍある。
【００８２】
図１３に示される吸収性物品に関して、腰部ガスケット要素８１の全体的な横方向幅は、腰部ガスケット要素８１の一方の側の長手方向縁部８４から、腰部ガスケット要素の他方の側の長手方向縁部８４までの距離である。脚部ガスケット要素ポケット８１の全体的な横方向幅は、横方向に約６０ｍｍ〜約２００ｍｍ、又は約６０ｍｍ〜約２００ｍｍの範囲内の任意の範囲若しくは距離あってもよく、いくつかの吸収性物品では、約６０ｍｍ、約１００ｍｍ、若しくは約１５０ｍｍあり、他の吸収性物品では、全体的な横方向幅は約５０ｍｍ〜約３００ｍｍある。
【００８３】
乳児、特に授乳中の乳児は、乳児のおむつの側面及び／又は後側から漏れ出る流動状の排便（「ＢＭ」）の問題を抱えていることが多い。更に、あらゆる年齢の吸収性物品の使用者は、時折、流動状のＢＭの漏れの問題を抱えている場合がある。吸収性物品の着用者が流動状の排便を有するとき、何回も流動状の排便が排便時に広がり、腰部領域と着用者の背部との間の区域において吸収性物品から漏れ出る。これらの事象は一般的に「ブローアウト」と称される。ブローアウトは、使用者の身体と取り付けられた吸収性物品との間のぴったりとしたフィットが着用者の運動中に吸収性物品内に封じ込められたままであるのに十分なスペースを流動状の排便に与えないために起こる。本明細書に詳述される腰部ガスケット要素８１の１つの利点は、単独で、又は本明細書に詳述される脚部ガスケットシステムとの組み合わせで、身体押出物（例えば、糞便物質）の封じ込めのための、脚部カフ及び腰部領域内に余分な間隙容積を提供する追加のポケット付き区域（４７及び９３）である。着用者が移動するとき、身体押出物の一部は、封じ込めのための腰部ガスケット要素ポケット９３内に移動し、着用者の背部と吸収性物品の後側腰部領域との間の区域に漏れ出る前に２層の不織布間に保持／捕捉される。よって、本明細書に詳述される腰部ガスケット要素８１は漏れを低減する。更に、腰部ガスケット要素ポケット９３は、糞便物質を受け取るために、腰部領域内に追加の間隙容積を提供し、これは着用者の皮膚から糞便物質を隔離するのに役立つ。
【００８４】
更に、腰部ガスケット要素ポケット９３は、脚部ガスケットシステムポケット４７と共に機能して、吸収性物品内に糞便物質を受け取るための更に大きい間隙容積を提供し、かつ／又は糞便物質を脚部ガスケットシステムポケット開口部５１に導くためのより容易な経路を提供し得る。腰部ガスケット要素８１内の任意の弾性材料（例えば、脚部弾性体８７、以下に詳述される）のガスケット作用は、吸収性物品のシャーシ２２から離れて腰部ガスケット要素８１の内側寄りの横方向縁部８２を持ち上げるように機能し得る。腰部ガスケット要素８１の長手方向縁部の結合部８６は、腰部ガスケット要素を脚部ガスケットシステム７０の内側カフ７１及び／又は外側カフ７４に取り付ける。したがって、腰部ガスケット要素８１内の任意の弾性材料（例えば、脚部弾性体８７）のガスケット作用は、シャーシ２２から離れて脚部ガスケットシステム７０の内側カフ７１及び／又は外側カフ７４を持ち上げようにも機能し得、したがって、脚部ガスケットシステムポケット４７の開口部５１を増幅する。脚部ガスケットシステムポケット４７の開口部５１が開くことにより、ポケットは流動状の排便等の糞便物質をより容易に受け取ることができる。
【００８５】
上記に詳述されるように、本明細書に記載される脚部ガスケットシステム７０及び／若しくは腰部ガスケット要素８１並びに／又は両方の組み合わせは、流動状のＢＭの漏れ／ブローアウトの低減を補助し得る。本明細書に定義されるブローアウト法試験は、流動状の排便の封じ込め時に吸収性物品（例えば、おむつ）がどのくらい効率的であるかを定量化し、よってブローアウトを回避するために開発された。
【００８６】
腰部ガスケット要素ポケット９３及び脚部ガスケットシステムポケット４７の組み合わせは、吸収性物品内により多くの糞便物質を封じ込めるのに役立つより大きい間隙容積を提供する。特に腰部ガスケット要素８１に関して、腰部ガスケット要素ポケット９３の全体的な長手方向長さを腰部ガスケット要素ポケットの全体的な横方向幅で乗じることにより（腰部ガスケット要素８１がシャーシ２２から離れて離間配置される量を乗じる）、腰部ガスケット要素８１下の活動間隙容積を画定する。ＢＭブローアウトの状況において、腰部ガスケット要素９３下のこの活動間隙容積は、より大きいＢＭ封じ込め面積を提供し、よって、ブローアウトを最小限に抑える、かつ／又は回避する。
【００８７】
下腰部ガスケット要素９３下のこの活動間隙容積はまた、吸収性物品のサイズ、及びそれが封じ込めることができるＢＭの量／体積にも関係する。より大きいサイズの吸収性物品、よってより大きい使用者に関して、より多くの糞便物質を封じ込め、ブローアウトを回避するために、より多くの活動間隙容積が必要とされる。これは、腰部ガスケット要素ポケット９３の全体的な長手方向長さ及び腰部ガスケット要素ポケットの全体的な横方向幅を増加することにより達成され得る。したがって、本明細書に定義されるブローアウト法試験に関して、多量の人工ＢＭ及び生理食塩水がより大きいサイズの吸収性物品に必要である。
【００８８】
【表１】
2018511388.tif 000003
＊表１に集計されるデータ生成のために試験された基本形吸収性物品は、図１２〜１６に示される構造体を有する吸収性物品であった。基本形吸収性物品の腰部ガスケット要素ポケット９３の全体的な長手方向長さは３４ｍｍであり、腰部ガスケット要素ポケットの全体的な横方向幅は１４０ｍｍであった。基本形吸収性物品の脚部ガスケットシステムポケット４７の全体的な横方向幅は２０ｍｍであった。
＊＊Ｈｕｇｇｉｅｓ，Ｋｏｒｅａ  Ｌ、サイズ４の製品は、Ｋｉｍｂｅｒｌｙ  Ｃｌａｒｋにより作製され、２０１５年に韓国で販売された。パッケージングのロット番号は２０１４０７２５ＴＪ０４２７１４４０７２５である。
【００８９】
本明細書に記載されるブローアウト法試験で試験した後、本明細書に記載の吸収性物品は、約９．０％未満、約８．０％未満、約７．０％未満、約６．０％未満、約５．０％未満、約４．０％未満、約３．０％未満、約２．０％未満、若しくは約１．０％未満のブローアウトパーセント漏れ、又は前の範囲内のブローアウトパーセント漏れの任意の範囲を有し得る。本明細書に記載の吸収性物品は、約０．１％〜約９．０％、約１．０％〜約９．０％、約２．０％〜約９．０％、約３．０％〜約９．０％、約４．０％〜約９．０％、約５．０％〜約９．０％のブローアウトパーセント漏れ、又はかかる範囲内のブローアウトパーセント漏れの任意の範囲を有し得る。
【００９０】
本明細書に記載されるブローアウト法試験で試験した後、本明細書に記載の吸収性物品は、約４０．０未満、約３５．０未満、約３０．０未満、約２５．０未満、約２０．０未満、約１５．０未満、約１０．０未満、約５．０未満、若しくは約２．０未満の効率係数＝（ブローアウト漏れ重量／おむつ重量）＊１００、又は前の範囲内の効率係数の任意の範囲を有し得る。本明細書に記載の吸収性物品は、約０．１〜約４０．０、約５．０〜約３５．０、約１０．０〜約３５．０、約１５．０〜約３５．０、約２０．０〜約３５．０、約２０．０〜約３０．０、約０．１〜約２５．０の効率係数、又はかかる範囲内の効率係数の任意の範囲を有し得る。効率係数が低い値を有する吸収性物品は、おむつ材料もあまり使用しない（おむつ重量が少なく、したがってあまり材料を使用しない）一方で、高いブローアウト防止のバランスを示す。したがって、本明細書に記載の吸収性物品は、コストがあまりかからず、環境にあまり影響を与えない（すなわち、良好な経済効率及び環境効率を有する）一方で、より良好な流動状のＢＭブローアウトの防止を果たす。
【００９１】
試験され、データが上記の表１に反映される基本形吸収性物品は、重さが３０．０ｇを下回ったため、１００．０ｍｌの生理食塩水（別個に５０．０ｍｌを２回適用）及び１００．０ｇの人工ＢＭが試験に使用された。基本形吸収性物品は、Ｎ繊維材料を含む脚部ガスケットシステム７０及び腰部ガスケット要素８１を含んだ。腰部ガスケット要素ポケット９３及び脚部ガスケットシステムポケット４７の組み合わせは、基本形吸収性物品内にブローアウトパーセント漏れの低減を補助するより大きい間隙容積を提供する。特に腰部ガスケット要素８１に関して、試験した腰部ガスケット要素ポケット９３の全体的な長手方向長さは３４ｍｍであり、試験した腰部ガスケット要素ポケットの全体的な横方向幅は１４０ｍｍであった。基本形吸収性物品の脚部ガスケットシステムポケット４７の全体的な横方向幅は２０ｍｍであった。この腰部ガスケット要素９３下の活動間隙容積は、腰部ガスケット要素ポケット９３の全体的な長手方向長さ及び腰部ガスケット要素ポケットの全体的な横方向幅を増加することにより増加され得る。したがって、より大きい活動間隙容積の腰部ガスケット要素設計を有する、本明細書に記載される他の基本形吸収性物品に関して、ブローアウト法試験により試験された場合、ブローアウトパーセント漏れは更に低減される（したがって、ＢＭブローアウトを更に回避する）。
【００９２】
理論に拘束されるわけではないが、腰部ガスケット要素８１は、本発明の複数の態様により作り出される、身体に対する封止部を提供することができると考えられる。第１に、腰部ガスケット要素８１は、伸縮性があり、使用中張力下にあるように設計される。使用中の張力は、介護者がぴったりとしたフィットを得ようとするときの、製品を適用する工程で介護者によって作り出される。キャプスタン作用により、適用中に作り出された張力及び身体の半径は腰部ガスケット要素と身体との間に力をもたらし、これは身体に対して法線方向にある。腰部ガスケット要素８１と身体との間のこの垂直力は、身体押出物を腰部ガスケット要素８１とシャーシ又はトップシートとの間に流れさせ、身体押出物が腰部ガスケット要素ポケット９３内に押し込まれる初期封止部をもたらす。更に、速やかに排泄された身体押出物が吸収性物品２０全体に身体押出物を分布させる圧力を有することは既知である。身体押出物が腰部ガスケット要素８１とシャーシ２２との間に捕捉される場合、身体押出物によって生じた圧力は、身体に対して腰部ガスケット要素８１を更に封止するように機能して、前述のキャプスタン作用によって生じた垂直力を増加させ、更に良好な封止を作り出す。腰部ガスケット要素８１は身体に対して封止されるため、身体押出物は漏れる可能性がなく、ある量の身体押出物が横方向に左右に押されて、貯蔵のための脚部ガスケットシステムポケット４７に入る。
【００９３】
身体に対して腰部ガスケット要素８１の封止をもたらすキャプスタン作用から最大の効果を得るために、脚部ガスケットシステムは理想的には、連続して凸面を有するか、又は連続して円筒形状若しくはその近似を有する身体の区域に位置付けられるべきである。身体表面がいずれかの時点で凹状又は「谷のように」なる場合、腰部ガスケット要素８１は、身体と腰部ガスケット要素との間に適切な封止部を形成することができない。これにより、身体と腰部ガスケット要素８１との間の空間を通して滲出物が漏れることが可能となる。したがって、封止部を適切に形成することができるように、身体が正しい形状を有することを確実にするような方法で、臀部溝の上に腰部ガスケット要素８１を位置付けることが重要である。理想的には、腰部ガスケット要素８１は、臀部溝の頂部、臀部溝より１０ｍｍ上、臀部溝より２５ｍｍ上、又は臀部溝より５０ｍｍ上に位置付けられ得る。
【００９４】
加えて、シャーシ２２が身体にぴったりフィットしない場合でも、腰部ガスケット要素が依然として接触した状態にあることができるように十分に長い腰部ガスケット要素８１を作製することが有用であり得る。加えて、十分な量の身体押出物がそこに残留することができるように腰部ガスケット要素ポケット９３に十分な間隙容積を提供することが有用であり得る。腰部ガスケット要素８１が十分に臀部溝より上にあり、かつ身体に対して封止し、十分な間隙容積を作り出すのにも十分に長いことを確実にするために、腰部ガスケット要素を吸収性物品２０の頂部、腰部縁部１３、１４の付近若しくはそれと一致して、又は腰部縁部のできる限り近くに位置付けることが有利である。高速おむつ作製用途における材料設置の変動に伴い、製造工程において、腰部ガスケット要素８１の一部が第１の吸収性物品に取り付けられ、残部が次の吸収性物品に取り付けられるように、製造工程の一部としてそれを断ち切ることができるような方法で、腰部ガスケット要素８１を位置付けることが必要であり得る。これにより、腰部ガスケット要素８１の頂縁部が腰部縁部１３、１４に隣接することが確実となる。よって、腰部ガスケット要素８１は、吸収性物品の腰部縁部から下に離間配置されない。腰部ガスケット要素８１の外側寄りの横方向縁部８３は、シャーシ２２の第２の腰部縁部１４の５ｍｍ内側寄りに設置され得るが、一部の吸収性物品では、腰部ガスケット要素の外側寄りの横方向縁部８３は、シャーシ２２の腰部縁部１３、１４から少なくとも１０ｍｍ内側寄り、シャーシの腰部縁部から少なくとも２０ｍｍ内側寄り、シャーシの腰部縁部から少なくとも５０ｍｍ内側寄り、又はシャーシの腰部縁部から約２ｍｍ〜約１００ｍｍ内側寄りの範囲内の任意の範囲若しくは距離に設置される。
【００９５】
腰部ガスケット要素ポケット９３は、ポケットの外辺部の少なくとも一部（例えば、ポケットの外辺部全体）を画定する熱結合部又は圧縮結合部を含み得、それにより、ポケット９３の少なくとも一部（例えば、ポケット全体）が、使用前にポケット９３の機能性を示すために着用者又は介護者に見えるようにすることができる。
【００９６】
別の方法としては、腰部ガスケット要素ポケット９３は、ポケットの外辺部の少なくとも一部（例えば、ポケットの外辺部全体）を画定する糊又は結合部を含み得、それにより、ポケット９３の少なくとも一部（例えば、ポケット全体）が、使用前にポケット９３の機能性を示すために着用者又は介護者に見えるようにすることができる。
【００９７】
別の方法としては、低表面張力裏抜け又は静水頭等の疎水性特性が、腰部ガスケット要素を含む材料を通して滲出物が漏れるのを防止するような方法で、腰部ガスケット要素８１の少なくとも一部、又は腰部ガスケット要素全体において増強され得る。したがって、これは、封じ込められた糞便物質の着用者からの隔離を維持する。疎水性特性の増強は、疎水性コーティング、インク、糊、シリコーン、追加材料、若しくはこれらの任意の組み合わせを適用することにより、又は当該技術分野において既知の任意の他の手段により達成され得る。加えて、本明細書に詳述されるように、脚部カフに関連する、類似する利益を提供するために、腰部ガスケット要素にＮ繊維材料を含むことが有利であり得る。
【００９８】
腰部ガスケット要素８１及び脚部ガスケットシステム７０は、同じ色であり得る。腰部ガスケット要素８１及び脚部ガスケットシステム７０は、異なる色であり得る。脚部ガスケット要素８１に更に印刷がされてもよい。
【００９９】
腰部ガスケット要素８１は、利益が使用前に示され得るように腰部ガスケット要素ポケット９３の少なくとも一部の輪郭を描くか又は画定する印刷ゾーンを含み得る。
【０１００】
腰部ガスケット要素８１は、腰部ガスケット要素８１の内側寄りの横方向縁部８２と外側寄り横方向縁部８３との間に、長手方向配列に位置付けられた弾性部材８７を含み得る。図１４に図示されるように、弾性体８７は、弾性体接着剤８８により腰部ガスケット要素８１を形成する材料ウェブの一部に取り付けられる。かかる吸収性物品において、弾性体は、１）腰部ガスケット要素の折り畳まれた縁部８９と腰部ガスケット要素の第１の材料縁部９０との間の材料ウェブの一部と、２）腰部ガスケット要素の折り畳まれた縁部８９と腰部ガスケット要素の第２の材料縁部９１との間の材料ウェブの一部との間に位置付けられる。腰部ガスケット要素８１は、少なくとも２つの弾性部材８７、少なくとも３つの弾性部材８７、少なくとも４つの弾性部材８７、少なくとも５つの弾性部材８７、少なくとも６つの弾性部材８７、少なくとも７つの弾性部材８７、少なくとも８つの弾性部材８７、少なくとも９つの弾性部材８７、少なくとも１０の弾性部材８７、少なくとも１１の弾性部材、又は少なくとも１２の弾性部材８７を含み得る。
【０１０１】
弾性部材８７は、部材の一方の縁部から部材の他方の縁部まで少なくとも２ｍｍ離れて、必要に応じて少なくとも３ｍｍ離れて、必要に応じて少なくとも３．５ｍｍ離れて、必要に応じて少なくとも４ｍｍ離れて、必要に応じて少なくとも４．５ｍｍ離れて、必要に応じて少なくとも５ｍｍ離れて、必要に応じて少なくとも５．５ｍｍ離れて、必要に応じて少なくとも６ｍｍ離れて、必要に応じて少なくとも６．５ｍｍ離れて、必要に応じて少なくとも７ｍｍ離れて、必要に応じて少なくとも７．５ｍｍ離れて、必要に応じて少なくとも８ｍｍ離れて、必要に応じて少なくとも８．５ｍｍ離れて、必要に応じて少なくとも９ｍｍ離れて、必要に応じて少なくとも９．５ｍｍ離れて、必要に応じて少なくとも１０ｍｍ離れて、必要に応じて少なくとも１０．５ｍｍ離れて、必要に応じて少なくとも１１ｍｍ離れて、必要に応じて少なくとも１１．５ｍｍ離れて、必要に応じて少なくとも１２ｍｍ離れて離間配置され得る。最も内側寄りの弾性部材８７は、腰部ガスケット要素の折り畳まれた縁部８９から約２ｍｍ未満、必要に応じて約１．５ｍｍ未満、約１ｍｍ未満であり得る。最も外側寄りの弾性部材８７は、外側寄りの横方向縁部８３から約２ｍｍ未満、必要に応じて約１．５ｍｍ未満、約１ｍｍ未満であり得る。
【０１０２】
腰部ガスケット要素８１は、各々約４ｍｍ離れている４つの弾性部材８７を有し得る。腰部ガスケット要素８１は、約２ｍｍ／７ｍｍ／２ｍｍ離れている４つの弾性部材を有し得る。腰部ガスケット要素８１は、約６．５ｍｍ／７．５ｍｍ／９ｍｍ／１１ｍｍ離れている５つの弾性部材を有し得る。腰部ガスケット要素８１は、各々約６ｍｍ離れている３つの弾性部材７７を有し得る。腰部ガスケット要素８１は、約１２ｍｍ離れている２つの弾性部材を有し得る。腰部ガスケット要素８１は、内側寄りの横方向縁部８２から約３ｍｍ／６ｍｍ／１０ｍｍ／２０ｍｍ／３０ｍｍ離間配置される４つの弾性部材を有し得る。弾性部材は、内側寄りの横方向縁部８２から約２ｍｍであるか、又は外側の内側寄り横方向縁部８２から約０ｍｍ（又は内側寄りの折り畳まれた縁部８９に直接近接して配設される）であり得る。
【０１０３】
弾性部材８７は、少なくとも５０％、必要に応じて少なくとも９５％、必要に応じて少なくとも１５０％、必要に応じて少なくとも２００％、必要に応じて少なくとも２５０％、必要に応じて少なくとも３００％、必要に応じて少なくとも３５０％、又は約５０％〜約３５０％の範囲内の任意の範囲距離の予歪みレベルを有し得る。予歪みレベルは、弾性体が弾性体接着剤で腰部ガスケット要素８１の材料ウェブに糊付けされる前に、弾性体に加えられる歪みの量である。各弾性部材８７の予歪みレベルは同一であってもよく、他の吸収性物品では、予歪みレベルは弾性体ごとに異なり得る。内側寄りの横方向縁部８２に近位の弾性部材（複数可）の予歪みは、外側寄りの横方向縁部９０に近位の弾性部材（複数可）の予歪みレベルより高くてもよい。この吸収性物品において、内側寄りの横方向縁部８２の収縮レベルは、外側寄りの横方向縁部９０の収縮レベルより大きくてもよい。
【０１０４】
腰部ガスケット要素８１は、その弛緩状態から横方向に、少なくとも１５ｍｍ、３５ｍｍ、４０ｍｍ、５０ｍｍ、６０ｍｍ、７０ｍｍ、８０ｍｍ、若しくは更には最大１００ｍｍ、又は約１５ｍｍ〜約１００ｍｍの範囲内の任意の範囲若しくは距離伸長する能力を有し得る。
【０１０５】
デシテックス（ｇ／ｍｍ）タイプは、腰部ガスケット要素８１において弾性体ごとに異なり得る。内側寄りの横方向縁部８２に近位の弾性部材（複数可）のデシテックス（ｇ／ｍｍ）は、外側寄りの横方向縁部９０に近位の弾性部材（複数可）のデシテックス（ｇ／ｍｍ）より高くてもよい。この吸収性物品において、横方向の内側寄りの縁部８２に近位の収縮力は、横方向の外側寄りの縁部９０の収縮力より高くてもよい。
【０１０６】
腰部ガスケット要素８１は、腰部ガスケット要素の弾性体８７が部分的にのみ延伸しているが、吸収性物品２０のシャーシは完全に延伸しているときに、シャーシ２２及び脚部ガスケットシステム７０に取り付けられ得る。加えて、腰部ガスケット要素８１は、対応する腰部領域が横方向に完全に延伸しているときに完全に延伸していてもよい。腰部ガスケット要素は、対応する腰部領域が完全に延伸しているときに完全に延伸していない場合がある。換言すれば、一部の吸収性物品において、腰部ガスケット要素８１をシャーシ２２及び脚部ガスケットシステム７０に取り付けるときに、腰部ガスケット要素８１のウェブ材料の少なくとも一部のギャザーが依然として存在するが、シャーシの材料は完全に延伸している。取り付けられると、腰部ガスケット要素８１の弾性体８７は、それらの部分的に延伸した状態から弛緩状態に後退し得る。この方法で腰部ガスケット要素８１をシャーシ２２に取り付けることにより、使用中に吸収性物品の腰部領域が完全に延伸しているときに、腰部ガスケット要素８１が部分的にのみ延伸していることが可能となる。換言すれば、一部の吸収性物品において、使用者が使い捨て吸収性物品２０の腰部領域を完全に延伸させるときに、腰部ガスケット要素８１のウェブ材料の少なくとも一部のギャザーが依然として存在する。
【０１０７】
本明細書に記載の腰部ガスケット要素８１が第２の腰部領域３８に位置するように単に具体的に詳述されてきたが、一部の吸収性物品において、腰部ガスケット要素は第１の腰部領域３６に存在し得る。本明細書に詳述される腰部ガスケット要素８１は、第１の腰部領域３６及び第２の腰部領域３８の両方に含まれ得る。例えば、うつ伏せ（前側）に寝る着用者は、睡眠中に前側腰部からの尿の漏れを防止するために、腰部ガスケット要素８１が前側腰部領域３６に位置することによって利益を得る場合がある。後側腰部領域に位置する腰部ガスケット要素と同様に、前側腰部領域（すなわち第１の腰部領域３６）の腰部ガスケット要素はまた、製品の前側からの漏れを防止する必要性に応じて、尿の貯蔵のための脚部ガスケットシステムポケットと共に機能し得る。
【０１０８】
不透明性強化パッチ
不透明性強化パッチ８０はシャーシ２２の一部として含まれ得る。不透明性強化パッチ８０は、材料の追加的な層である。不透明性強化パッチ８０は、脚部ガスケットシステム７０、高分子フィルム層、又はバックシート２６に接続され得る。不透明性強化パッチ８０は、物品の第１の腰部領域３６、第２の腰部領域３８、又は第１の腰部領域３６及び第２の腰部領域３８の両方のいずれかにおいて、バックシート２６と脚部ガスケットシステム７０との間に配設されてもよく、不透明性強化パッチ８０は、脚部ガスケットシステム７０及び／又は高分子フィルム層（すなわち、バックシート２６の内側層）のうちの少なくとも１つと重なり合ってもよい。適用工程中又は着用中に生じる負荷を、物品の横方向縁部から脚部ガスケットシステム７０及び／又は高分子フィルム層に移すことができるように、不透明性強化パッチ８０は、糊、機械的結合、熱結合等の任意の好適な手段を用いて脚部ガスケットシステム７０又は高分子フィルム層の一方又は両方に取り付けられてもよい。不透明性強化パッチは、適用中及び着用中に物品が過剰に延伸するのを防止するために必要な強度をもたらすのに有用であり、使用者の皮膚が物品を通して透けて見えるのを防止するために側面及び腰部にも不透明性を提供してもよい。よって、パッチ８０は、強度及び不透明性が望ましい、シャーシ２２の任意の部分に位置していてよい。不透明性強化パッチとして機能するのに好適な材料には、少なくとも約１０ｇｓｍ、少なくとも約１５ｇｓｍ、少なくとも約２５ｇｓｍの坪量を有する材料が挙げられる。本明細書で有用な不透明性強化パッチは、横断方向において以下の引張特性を呈し得る：２．５センチメートル（１インチ）幅のサンプルに関して２％の工学歪みで０．４Ｎ、２．５センチメートル（１インチ）幅のサンプルに関して５％の工学歪みで１．２５Ｎ、２．５センチメートル（１インチ）幅のサンプルに関して１０％の工学歪みで２．５Ｎ。本明細書で有用な１つの不透明性強化パッチは、Ｐｅｇａｓ（Ｚｎｏｊｍｏ、ＣＺ）から、供給元番号８０３９６８として入手可能である。
【０１０９】
不透明性強化パッチ８０は個別であり得、物品の前側及び後側腰部領域に位置する。不透明性強化パッチは、前側において約７０ｍｍの長さ、必要に応じて前側において約９０ｍｍの長さ、必要に応じて前側において約１２０ｍｍの長さであり得る。不透明性強化パッチは、後側において約７０ｍｍの長さ、必要に応じて後側において約１００ｍｍの長さ、必要に応じて後側において約１４０ｍｍの長さであり得る。不透明性強化パッチは連続しており、製品の長さ全体に及ぶ。
【０１１０】
不透明性強化パッチは、約１５％超の、必要に応じて約２５％超の、必要に応じて約４０％超の、必要に応じて６０％超のハンター色不透明性を有し得る。
【０１１１】
不透明性強化パッチは、高分子フィルム層の横方向外側寄りであり得る。不透明性強化パッチから高分離フィルム層まで、横方向に方向付けられた適用及び着用力を伝えるために、不透明性強化パッチが高分子フィルムに固着され得るように、不透明性強化パッチは横方向において高分子フィルム層と重なり合ってもよい。当該技術分野において既知の任意の好適な結合手段を使用して、不透明性強化パッチを高分子フィルム層に固着することができる。不透明性強化パッチは、約５ｍｍ、必要に応じて約１０ｍｍ、必要に応じて約１５ｍｍ、必要に応じて約２０ｍｍ、必要に応じて約３０ｍｍ未満、高分子フィルム層と重なり合ってもよい。
【０１１２】
不透明性強化パッチと高分子フィルム層との間に横方向の隙間が存在してもよく、不透明性強化パッチは、任意の好適な結合手段により脚部ガスケットシステムに固着され、脚部ガスケットシステムは、適用及び着用の負荷が不透明性強化パッチからガスケットシステムに移り、次いでガスケットシステムから高分子フィルム層に移ることができるように、任意の好適な結合手段によって、高分子フィルム層に固着される。隙間は好ましくは３０ｍｍ未満、より好ましくは２０ｍｍ未満、より好ましくは１０ｍｍ未満であり得る。
【０１１３】
不透明性強化パッチと高分子フィルム層との間に、横方向の隙間が存在し得、不透明性強化パッチは、任意の好適な結合手段によって、脚部ガスケットシステムに固着されてもよく、脚部ガスケットシステムの身体に面する面及び衣類に面する面は、不透明性強化パッチからの負荷が脚部ガスケットシステムの両方の層によって共有されるように、任意の好適な結合手段によって一緒に固着されてもよい。脚部ガスケットシステムは、適用及び着用の負荷が不透明性強化パッチから脚部ガスケットシステムに移り、次いで脚部ガスケットシステムから高分子フィルム層に伝わることができるように、任意の好適な結合手段によって、高分子フィルム層に固着されてもよい。
【０１１４】
適用及び着用の力を不透明性強化パッチから脚部ガスケットシステムに伝える手段として、任意の好適な結合手段によって不透明性強化パッチ層にしっかりと固着することができるように、不透明性強化パッチは横方向において、脚部ガスケットシステムと重なり合ってもよい。不透明性強化パッチは、約５ｍｍ、必要に応じて約１０ｍｍ、必要に応じて約１５ｍｍ未満、必要に応じて約２５ｍｍ未満、脚部ガスケットシステムと重なり合ってもよい。
【０１１５】
脚部ガスケットシステムは、不透明性強化パッチと略同じ横方向の引張強度特性を有し得る。脚部ガスケットシステム及びバックシートの不織布外側カバーの組み合わされた特性は、不透明性強化パッチと略同じ横方向の引張強度を有し得る。別の方法としては、外側カバーの不織布は、約０％〜約１０％の工学歪みという、非常に低い横方向の強度を有し得る。外側カバーの不織布は、以下の引張特性を呈し得る：２．５センチメートル（１インチ）幅のサンプルに関して１０％の工学歪みで０．４Ｎ。
【０１１６】
構成体材料：
腰部領域において、過剰に横方向に伸長することなく、腰部領域において又は物品において、実質的に好適な力の伝達経路を形成することができる材料の横方向の引張特性の多くの組み合わせが存在し、材料の力の経路は、不透明性強化パッチから直接高分子フィルム層に、又は高分子フィルム層からすぐ外側寄りの領域における様々な他の層を通って高分子フィルム層に通じてもよいことが認識される。これらの層には、トップシート、バックシートの不織布、カフ、吸収性アセンブリ、脚部ガスケットシステム、又は高分子フィルム層に隣接する領域に位置する任意の他の層が挙げられる。
【０１１７】
脚部ガスケットシステム７０の材料は、実質的に液体不透過性の材料から作製され得る。材料は、ＳＭＳ不織布材料、ＳＭＭＳ不織布材料、又は「Ｎ繊維」を含む不織布成分層からなる群から選択されてもよい。
【０１１８】
様々な不織布繊維ウェブが、スパンボンド、メルトブローン、スパンボンド（ＳＭＳ）ウェブを含み得るが、これは、スパンボンド熱可塑性物質（例えばポリオレフィン）の外側層と、メルトブローン熱可塑性物質の内側層とを備えるものである。脚部ガスケットカフ７０は、平均直径１マイクロメートル未満の微細な繊維（「Ｎ繊維」）を有する不織布構成要素層（「Ｎ繊維層」）を含んでもよく、ないしは別の方法で、他の不織布構成要素層に追加されるか、それと共に組み込まれて不織布材料ウェブを形成してもよい。Ｎ繊維層は、例えば、ＳＮＳ不織布ウェブ又はＳＭＮＳ不織布ウェブを生産するために使用されてもよい。
【０１１９】
脚部ガスケットカフ７０は、約８マイクロメートル〜約３０マイクロメートルの範囲の平均直径を有する繊維を含む第１の不織布構成要素層と、約１マイクロメートル未満の数平均直径、約１．５マイクロメートル未満の質量平均直径、及び約２未満の質量平均直径と数平均直径比を有する繊維を含む第２の不織布構成要素層と、約８マイクロメートル〜約３０マイクロメートルの範囲の平均直径を有する繊維を含む第３不織布構成要素層とを含み得る。第２の不織布構成要素層は、第１の不織布構成要素層と第３の不織布構成要素層との中間に配設される。
【０１２０】
Ｎ繊維は、例えば、ＰＥＴ及びＰＢＴを含むポリエステル、ポリ乳酸（ＰＬＡ）、アルキド類、ポリプロピレン（ＰＰ）、ポリエチレン（ＰＥ）、及びポリブチレン（ＰＢ）を含むポリオレフィン、エチレン及びプロピレン由来のオレフィンコポリマー、熱可塑性ポリウレタン（ＴＰＵ）及びスチレンブロックコポリマー（種々の種類のＫｒａｔｏｎ等の線状及び放射状ジ−及びトリ−ブロックコポリマー）を含むエラストマー性ポリマー、ポリスチレン、ポリアミド、ＰＨＡ（ポリヒドロキシアルカノエート）及び例えば、ＰＨＢ（ポリヒドロキシブチレート）、並びに熱可塑性デンプンを含むデンプン系組成物から選択される、例えばポリマーを含んでいてよい。上述のポリマーは、ホモポリマー、コポリマー、例えば、エチレン及びプロピレンのコポリマー、その配合物、並びにアロイとして使用されてもよい。Ｎ繊維層は、例えば、熱点結合とも称されるカレンダー結合工程等の任意の好適な結合技術によって、他の不織布成分層に結合され得る。
【０１２１】
不織布ウェブ中にＮ繊維層を使用することにより、疎水性コーティング又は疎水性溶解添加物で処理された他の不織布ウェブと同じぐらいの高さの低表面張力バリアをもたらし、かつ依然として低坪量（例えば、１５ｇｓｍ未満、又は別の方法としては１３ｇｓｍ未満）を維持することができる。またＮ繊維層を使用することにより、以前は二重ウェブ層構成を使用した用途において、単一ウェブ層の構成で使用され得る柔らかい通気性（すなわち、空気透過性）の不織布材料も提供され得る。更に、Ｎ繊維層を使用することにより、ウェブへの親水性界面活性剤の望ましくない移動を少なくとも低減することができるため、最終的には、関連する吸収性物品に対してより良好な漏れ防止性をもたらすことができる。また、同様の坪量を有するＳＭＳウェブと比較して、Ｎ繊維層を有する不織布ウェブを使用することにより、機械的結合工程中に生じる欠陥（即ち、機械的結合部位を通る孔又はピンホール）の数を減少させ得る。Ｎ繊維は、国際公開第２００５／０９５７００号及び米国特許出願第１３／０２４，８４４号に更に説明されている。
【０１２２】
内側カフ７１の材料ウェブは、約０．２ｋＰａ超、約０．３ｋＰａ超、約０．４ｋＰａ超（約２ｍｂａｒ、約３ｍｂａｒ超、約４ｍｂａｒ超）の静水頭を有し得る。外側カフ７４の材料ウェブは、約２０ｋＰａ未満、約１０ｋＰａ未満、約７．５ｋＰａ未満、約５ｋＰａ、約２．５ｋＰａ、約１．５ｋＰａ（約２００ｍｂａｒ、約１００ｍｂａｒ未満、約７５ｍｂａｒ未満、約５０ｍｂａｒ未満、約２５ｍｂａｒ未満、約１５ｍｂａｒ未満）の静水頭を有し得る。
【０１２３】
折り畳まれた外側カフの材料ウェブは、１０ｇｓｍ、必要に応じて１３ｇｓｍ、必要に応じて１５ｇｓｍ、必要に応じて１８ｇｓｍの坪量を有し得る。
【０１２４】
内側カフ７１の材料ウェブは、約１５％〜約５０％ハンター不透明性、必要に応じて約２０％〜約４５％ハンター不透明性の不透明性を有し得る。外側カフ７４の材料ウェブは、約４５％〜約７５％ハンター不透明性、必要に応じて約５０％〜約７０％ハンター不透明性、必要に応じて約７５％ハンター不透明性、必要に応じて約７０％ハンター不透明性の不透明性を有し得る。
【０１２５】
内側カフ７１の材料ウェブは、約５０ｍ３／ｍ２／分未満、必要に応じて約４５ｍ３／ｍ２／分未満の空気透過率を有し得る。外側カフ７４の材料ウェブは、約５ｍ３／ｍ２／分超、必要に応じて約１０ｍ３／ｍ２／分超、必要に応じて約１５ｍ３／ｍ２／分超、必要に応じて約２０ｍ３／ｍ２／分超の空気透過性を有し得る。
【０１２６】
内側カフ７１の材料ウェブは、約５５００ｇ／ｍ２／２４時間未満、必要に応じて約５４００ｇ／ｍ２／２４時間未満のＷＶＴＲを有し得る。外側カフ７４の材料ウェブは、約４２５０ｇ／ｍ２／２４時間超、必要に応じて約４５００ｇ／ｍ２／２４時間超、必要に応じて約５０００ｇ／ｍ２／２４時間超、必要に応じて約５２５０ｇ／ｍ２／２４時間超、必要に応じて約５５００ｇ／ｍ２／２４時間超のＷＶＴＲを有し得る。
【０１２７】
ガスケットカフ７０は、実質的に非弾性であってもよく、又は弾性的に延伸性であって、着用者の脚部に動的に適合してもよい。ガスケットカフ７０は、トップシート２４、バックシート２６、又は吸収性物品２０の形成に使用される任意の他の好適な基材に動作可能に接合される、１つ以上の伸縮部材７７及び７８（弾性ストランド等）により形成されてもよい。好適なガスケットカフ構成体が、米国特許第３，８６０，００３号に更に記載されている。
【０１２８】
内側カフ７１は、吸収性物品２０の長手方向の長さ全体に及んでもよい。内側カフ７１は、フラップ及び弾性部材７８（弾性ストランド等）により形成されてもよい。内側カフ７１は、吸収性物品２０を形成する既存の材料又は要素のいずれかから連続した延長部であってもよい。
【０１２９】
内側カフ７１は、プラスチックフィルム、並びに天然繊維（例えば、木材又は綿繊維）、合成繊維（例えば、ポリエステル又はポリプロピレン繊維）、又は天然繊維及び合成繊維の組み合わせの織布又は不織布ウェブ等の様々な基材を含み得る。フラップは、スパンボンドウェブ、メルトブローンウェブ、カードウェブ、及びそれらの組み合わせ（例えば、スパンボンド−メルトブローン複合材料及び変異型）等の不織布ウェブを含み得る。前述した基材のラミネートを使用してフラップを形成してもよい。特に好適なフラップは、ＢＢＡ  Ｆｉｂｅｒｗｅｂ（Ｂｒｅｎｔｗｏｏｄ、ＴＮ）から供給元コード３０９２６として入手可能な不織布を含み得る。特に好適な弾性部材は、Ｉｎｖｉｓｔａ（Ｗｉｃｈｉｔａ、ＫＳ）から供給元コードＴ２６２Ｐとして入手可能である。内側バリアカフ及びかかるバリアカフの好適な構成体を有するおむつの更なる説明は、米国特許第４，８０８，１７８号及び同第４，９０９，８０３号に見出すことができる。弾性部材７８は、内側カフ７１の長手方向長さに及んでもよい。弾性部材７８は、股部領域３７内の内側カフ７１の少なくとも長手方向長さに及んでもよい。弾性部材７８が、通常の着用時に、内側カフ７１が着用者と接触したままであり、それにより、内側カフ７１のバリア特性を強化するように、十分な弾性を呈することが望ましい。伸縮部材７８は、対向する長手方向末端部でフラップに接続されてもよい。フラップは、弾性部材７８を取り囲むようにそれ自身の上に折り畳まれてもよい。
【０１３０】
内側カフ７１及び／又は外側カフ７４は、トップシートについて上述したように、ローションで全体若しくは一部が処理され得るか、又は米国特許出願第１１／０５５，７４３号（２００５年２月１０日出願）に詳述されているように疎水性表面コーティングで完全に若しくは部分的にコーティングされ得る。本明細書で有用な疎水性表面コーティングは、非水性、無溶媒、多成分シリコーン組成物を含んでいてよい。シリコーン組成物は少なくとも１種類のシリコーンポリマーを含み、かつアミノシリコーンを実質的に含まない。特に好適な疎水性表面コーティングは、供給元コード００１００２４８２０として、Ｄｏｗ  Ｃｏｒｎｉｎｇ（ＭＩ、Ｓａｌｚｂｕｒｇ）から入手可能である。
【実施例】
【０１３１】
【表２】
2018511388.tif 000004
＊結果はある標準偏差の平均±１として表される。
＊プロトタイプのＮ繊維は、Ｐｏｌｙｍｅｒ  Ｇｒｏｕｐ  Ｉｎｃから入手可能な１３ｇｓｍのＳＭＮＳである。
＊プロトタイプのＳＭＳは、ＦｉｂｅｒｔｅｘからＣｏｍｆｏｒｔ  Ｌｉｎｅで入手可能な１５ｇｓｍのＳＭＳ（スパンボンド−メルトブローン−スパンボンド）不織布である。
【０１３２】
試験方法：
不透明度の方法
不透明度は、コンピュータインタフェースを備える、０°照明／４５°検出、環状の光学的形状の分光光度計、例えばＨｕｎｔｅｒＬａｂ  ＬａｂＳｃａｎ  ＸＥ  ｒｕｎｎｉｎｇ  Ｕｎｉｖｅｒｓａｌ  Ｓｏｆｔｗａｒｅ（Ｈｕｎｔｅｒ  Ａｓｓｏｃｉａｔｅｓ  Ｌａｂｏｒａｔｏｒｙ  Ｉｎｃ．（Ｒｅｓｔｏｎ、ＶＡ）から入手可能）又は同等の機器を使用して測定される。機器校正及び測定は、販売元によって提供されている標準白黒校正プレートを使用して行う。全ての試験は、２３±２℃及び相対湿度５０±２％に維持された室内で行う。
【０１３３】
標準に設定されたＵＶフィルタと共に、分光光度計は、ＸＹＺカラースケール、Ｄ６５光源、１０°標準観測者に対して構成される。この機器を、製造元の手順に従い１．８センチメートル（０．７インチ）ポート寸法及び１．３センチメートル（０．５インチ）視野域を使用して標準化する。校正後、ソフトウェアはＹ不透明度手順に設定され、これは測定中に白又黒のいずれかの校正タイルでサンプルを覆うようにオペレータを促す。
【０１３４】
２３℃±２℃及び５０％±２％の相対湿度で、試験前に約２時間にわたって、物品を事前調整する。試験片を得るため、物品を作業台上で身体に面する表面を上にして平らに引き伸ばし、物品の長手方向の全長を測定する。内側及び外側カフ上の試験部位は、物品の長手方向の中点で選択する。鋏を使用して、試験片を６０ｍｍの長さ×（左のカフの長手方向の中点に中心を合わせた）内側カフの高さ全体に切断する。次に、第２の試験片（今回は外側カフから）を、６０ｍｍの長さ×（左の外側カフの長手方向の中点において、中心に置かれた）外側カフの高さ全体に切断する。同様の方式で内側及び外側カフの試験片を物品の右側上のカフから用意する。
【０１３５】
試験片を測定ポートに被せて置く。試験片は、カフの内側を向いた表面に対応する表面がポートの方を向いた状態で、ポートを完全に覆っている必要がある。試験片がその長手方向にピンと張った状態となるまで、緩やかに延伸させて、カフが、ポートのプレートに対して平らに置かれるようにする。接着テープを貼って、カフが試験のための延伸状態でポートプレートに対して固定されるようにする。テープは測定ポートのいずれの部分も覆ってはならない。次いで、試験片を、白い標準プレートで覆う。表示を読み取り、次いで白いタイルを取り除き、試験片を動かさないで、黒い標準タイルと交換する。２回目の表示を読み取り、不透明度を以下のように計算する：
不透明度＝（Ｙ値（黒色裏材）／Ｙ値（白色裏材））×１００
【０１３６】
５つの同じ物品からの試験片（１０の内側カフ（左側から５つ、右側から５つ）並びに１０の外側カフ（左側から５つ、右側から５つ））を分析し、それらの不透明度を記録する。内側カフ及び外側カフの平均不透明性を計算し、それぞれ０．０１％単位で別個に報告する。
【０１３７】
水蒸気透過度法
水蒸気透過度（ＷＶＴＲ）を湿潤カップ手法を使用して測定する。円筒形のカップに水を充填し、水の表面と、カップの上方開口部の上で封止された試料との間に一定のヘッドスペースを維持する。組み立てたカップをオーブンで特定時間加熱した後、蒸気の損失を重力測定的に測定する。全ての試験は、２３℃±２℃及び相対湿度５０％±２％で維持された室内で行う。
【０１３８】
試験前に、２３℃±２℃、及び５０％±２％の相対湿度で２時間、物品を予め調整する。物品を身体に面する表面を上にして作業台に平らに伸ばし、物品の合計長手方向長さを測定する。内側及び外側カフ上の試験部位は、物品の長手方向の中点で選択する。鋏を使用して、試験片を６０ｍｍの長さ×（左のカフの長手方向の中点に中心を合わせた）内側カフの高さ全体に切断する。次に、第２の試験片（今回は外側カフから）を、６０ｍｍの長さ×（左の外側カフの長手方向の中点に中心を合わせた）外側カフの高さ全体に切断する。同様の方式で物品の右側上のカフから内側及び外側カフの試験片を用意する。
【０１３９】
ＷＶＴＲ試験バイアル瓶として、高さ９５ｍｍ、開口部が１７．８ｍｍの内径を有するガラス製の、直線的な壁部を有する円筒バイアル瓶を使用する。試験用バイアル瓶はそれぞれ、バイアル瓶の開口部の上方縁部から２５．０ｍｍ±０．１ｍｍのレベルまで、正確に蒸留水を充填する。カフの内側に面する表面を下向きにしてバイアル瓶の開口部の上に試料を配置する。試料を静かにピンと張り、弾性バンドを用いてバイアル瓶の円周部の周囲に固定する。バイアル瓶の円周部の周囲に、テフロンテープを巻くことによって、試料を更に封止する。好ましいテフロンテープは、ＭｃＭａｓｔｅｒ  Ｃａｒｒから入手可能なスレッドシーラントテープ０．６４ｃｍ（０．２５インチ）幅（カタログ番号４５９１Ｋ１１）又は等価物である。テフロンテープをバイアル瓶の上方縁部に適用するが、バイアル瓶の開口部のいずれの部分も覆ってはならない。バイアルアセンブリのまとまり（バイアル瓶＋試料＋封緘テープ）を０．０００１グラム単位で計量する。これが開始質量である。
【０１４０】
バイアル瓶の組立体を上向きにして機械式対流オーブン内（例えば、ＴｈｅｒｍｏＳｃｉｅｎｔｉｆｉｃから入手可能なＬｉｎｄｂｅｒｇ／ＢｌｕｅＭオーブン又は等価物）に設置し、２４時間、３８±１℃に維持し、バイアル瓶内の水と試料が接触しないよう注意する。２４時間が経過した後、バイアル瓶組立体をオーブンから取り出し、室温に戻す。各バイアル瓶組立体の質量を０．０００１グラム単位まで測定する。これが最終質量である。
【０１４１】
以下の式を使用して、ＷＶＴＲを計算する：
ＷＶＴＲ（ｇ／ｍ２／２４ｈｒ）＝（［開始質量（ｇ）−最終質量（ｇ）］／表面積（ｍ２））／２４ｈｒ
【０１４２】
５つの同じ物品からの試料（１０の内側カフ（左側から５、右側から５）並びに１０の外側カフ（左側から５、右側から５））を分析し、それらのＷＶＴＲを記録する。内側カフ及び外側カフの平均ＷＶＴＲをそれぞれ１ｇ／ｍ２／２４ｈｒ単位で別個に報告する。
【０１４３】
空気透過率試験
特注の１ｃｍ２の円形アパーチャ（Ａｄｖａｎｃｅｄ  Ｔｅｓｔｉｎｇ  Ｉｎｓｔｒｕｍｅｎｔｓから入手可能）を備える、ＴｅｘＴｅｓｔ  ＦＸ３３００  Ａｉｒ  Ｐｅｒｍｅａｂｉｌｉｔｙ  Ｔｅｓｔｅｒ（Ａｄｖａｎｃｅｄ  Ｔｅｓｔｉｎｇ  Ｉｎｓｔｒｕｍｅｎｔｓ（Ｇｒｅｅｒ、ＳＣ）から入手可能）又は同等の機器を使用して空気透過率の試験を行う。製造元の手順に従って機器を標準化する。全ての試験は、２３℃±２℃及び相対湿度５０％±２％で維持された室内で行う。
【０１４４】
２３℃±２℃及び５０％±２％の相対湿度で、試験前に約２時間にわたって、物品を事前調整する。試験片を得るため、物品を作業台上で身体に面する表面を上にして平らに引き伸ばし、物品の長手方向の全長を測定する。内側及び外側カフ上の試験部位は、物品の長手方向の中点で選択する。鋏を使用して、試験片を６０ｍｍの長さ×（左のカフの長手方向の中点に中心を合わせた）内側カフの高さ全体に切断する。次に、第２の試験片（今回は外側カフから）を、６０ｍｍの長さ×（左の外側カフの長手方向の中点に中心を合わせた）外側カフの高さ全体に切断する。同様の方式で内側及び外側カフの試験片を物品の右側上のカフから用意する。
【０１４５】
測定ポートに被さるように試験片を中心に置く。試験片は、カフの内側を向いた表面に対応する表面がポートの方を向いた状態で、ポートを完全に覆っている必要がある。試験片がピンと張った状態となるまで、その長手方向に緩やかに延伸させて、カフが、ポートをまたいで平らに置かれるようにする。接着テープを貼って、カフが試験のための延伸状態で、ポートをまたいで固定されるようにする。テープは測定ポートのいずれの部分も覆ってはならない。空気が試験片を通過できるように、試験圧力を設定する。不織布カフに関して、圧力は典型的に１２５Ｐａに設定し、フィルムを封じ込めるカフに関しては典型的に２１２５Ｐａを使用する。サンプルリングを閉じて、測定値が機器の許容限度内にあるということを示す緑色を、範囲表示器が示すまで、測定範囲を調整する。空気透過率は０．１ｍ３／ｍ２／分単位で記録する。
【０１４６】
静水頭の試験
ＴｅｘＴｅｓｔ  ＦＸ３０００  Ｈｙｄｒｏｓｔａｔｉｃ  Ｈｅａｄ  Ｔｅｓｔｅｒ（Ａｄｖａｎｃｅｄ  Ｔｅｓｔｉｎｇ  Ｉｎｓｔｒｕｍｅｎｔｓ（Ｇｒｅｅｒ、ＳＣ）から入手可能）に、カスタムメイドの１．５ｃｍ２の円形測定ポート（同様に、Ａｄｖａｎｃｅｄ  Ｔｅｓｔｉｎｇ  Ｉｎｓｔｒｕｍｅｎｔｓから入手可能）を備え付けたものを使用して静水頭の試験を行う。測定ポートの周囲のガスケットと同じ寸法の２つの環状スリーブリングを、微細不織布用の標準的な保護スリーブ（Ａｄｖａｎｃｅｄ  Ｔｅｓｔｉｎｇ  Ｉｎｓｔｒｕｍｅｎｔｓから入手可能な部品、ＦＸ３０００−ＮＷＨ）から切り出す。続いて、クランプの際に試験片を保護するために、これらのスリーブリングを、ＴｅｘＴｅｓｔ製機器の、上側ガスケット及び下側ガスケットのサンプル対向面に、両面接着テープを用いて貼り付ける。製造元の手順に従って機器を標準化する。全ての試験は、約２３℃±２℃及び相対湿度約５０％±２％で維持された室内で行う。
【０１４７】
２３℃±２℃及び５０％±２％の相対湿度で、試験前に約２時間にわたって、物品を事前調整する。試験片を得るため、物品を作業台上で身体に面する表面を上にして平らに引き伸ばし、物品の長手方向の全長を測定する。内側及び外側カフ上の試験部位は、物品の長手方向の中点で選択する。鋏を使用して、試験片を７０ｍｍの長さ×（左のカフの長手方向の中点に中心を合わせた）内側カフの高さ全体に切断する。次に、第２の試験片（今回は外側カフから）を、７０ｍｍの長さ×（左の外側カフの長手方向の中点に中心を合わせた）外側カフの高さ全体に切断する。同様の方式で内側及び外側カフの試験片を物品の右側のカフから用意する。
【０１４８】
上側のテストヘッドのポートに被さるように試験片を中心に置く。試験片は、カフの外側を向いた表面に対応する表面がポートの方を向いた状態で、ポートを完全に覆っている必要がある（即ち、内側を向いた表面は水に面することになる）。試験片がその長手方向にピンと張った状態となるまで、緩やかに延伸させて、カフが、上側の試験プレートに対して平らに置かれるようにする。接着テープを貼って、カフが試験のための延伸状態で試験プレートに対して固定されるようにする。テープは測定ポートのいずれの部分も覆ってはならない。
【０１４９】
ＴｅｘＴｅｓｔのシリンジに蒸留水を充填し、下側の試験プレートの測定ポートを通して蒸留水を加える。水位が下側ガスケットの頂部までくるように、充填を行う必要がある。上側のテストヘッドを機器の上に載置し、テストヘッドを下げて試験片の周囲を封止する。試験速度は、５ｋＰａ（５０ｍｂａｒ）以下の静水頭を有するサンプルに関しては０．３ｋＰａ／分（３ｍｂａｒ／分）、５ｋＰａ（５０ｍｂａｒ）より高い静水頭を有するサンプルに関しては６ｋＰａ／分（６０ｍｂａｒ／分）に設定する。試験を開始し、試験片表面を観察して、表面を透過する水滴を検出する。試料の表面に１つの滴が検出されたとき、又は圧力が２０ｋＰａ（２００ｍｂａｒ）を超えたときに試験を終了する。圧力を０．０５ｋＰａ（０．５ｍｂａｒ）単位で記録する、又は浸透が検出されなかった場合は＞＞２０ｋＰａ（２００ｍｂａｒ）として記録する。
【０１５０】
合計５つの同じ物品（１０個の内側カフ試験片、及び１０個の外側カフ試験片）を分析し、それらの静水頭値を記録する。内側カフ及び外側カフの平均静水頭を計算及び記録し、それぞれ０．０１ｋＰａ（０．１ｍｂａｒ）単位で記録する。
【０１５１】
低表面張力流体裏抜け時間試験
低表面張力流体裏抜け時間試験は、所定の速度で分配される特定量の低表面張力流体が、基準吸収性パッド上に設置されているウェブ（及び他の比較可能なバリア材料）のサンプルに完全に浸透するのにかかる時間量を判定するために使用される。
【０１５２】
この試験に関して、基準吸収性パッドは、５プライのＡｈｌｓｔｒｏｍ等級９８９濾過紙（１０ｃｍ×１０ｃｍ）であり、試験流体は３２ｍＮ／ｍ低表面張力流体である。
【０１５３】
この試験は、例えば、流動状のＢＭ等、低表面張力流体に対するバリアを提供することが意図されるウェブの、低表面張力流体裏抜け性能（秒）を特徴付けるように設計されている。
【０１５４】
Ｌｉｓｔｅｒ裏抜け試験機：この試験機は、ＥＤＡＮＡ  ＥＲＴ  １５３．０−０２の６章に記載されるようなものであり、以下の例外を有する：裏抜けプレートは、１０．０ｍｍ長さ及び１．２ｍｍスロット幅を有する細いスロットを備え、６０°の角度の付いた３つのスロットの星型開口部を有する。この装置は、Ｌｅｎｚｉｎｇ  Ｉｎｓｔｒｕｍｅｎｔｓ（Ａｕｓｔｒｉａ）及びＷ．Ｆｒｉｔｚ  Ｍｅｔｚｇｅｒ  Ｃｏｒｐ（ＵＳＡ）から入手可能である。１００秒後にタイムアウトしないように、単位が設定される必要がある。
【０１５５】
基準吸収性パッド：１０ｃｍ×１０ｃｍ面積において、Ａｈｌｓｔｒｏｍ等級９８９濾過紙が使用される。平均裏抜け時間は、３２ｍＮ／ｍ試験流体を用いて、ウェブサンプルなしで、５層の濾紙において３．３＋０．５秒である。濾紙は、Ｅｍｐｉｒｉｃａｌ  Ｍａｎｕｆａｃｔｕｒｉｎｇ  Ｃｏｍｐａｎｙ，Ｉｎｃ．（ＥＭＣ）７６１６  Ｒｅｉｎｈｏｌｄ  Ｄｒｉｖｅ  Ｃｉｎｃｉｎｎａｔｉ，ＯＨ  ４５２３７から購入することができる。
【０１５６】
試験流体：３２ｍＮ／ｍ表面張力流体は、蒸留水及び０．４２＋／−０．００１ｇ／リットルＴｒｉｔｏｎ−Ｘ  １００で調製される。全ての流体を周囲条件で保つ。
【０１５７】
電極−すすぎ液：０．９％塩化ナトリウム（ＣＡＳ  ７６４７−１４−５）水溶液（９ｇ  ＮａＣｌ／１Ｌ蒸留水）が使用される。
【０１５８】
試験手順
−全ての試験は、約２３℃±２℃及び相対湿度約５０％±２％で維持された室内で行う。Ａｈｌｓｔｒｏｍの濾紙及び試験物品をこの制御された環境で２４時間と２時間、試験前に調整する。
−表面張力が３２ｍＮ／ｍ＋／−１ｍＮ／ｍであることを確認する。さもなければ、試験流体を再度作製する。
−０．９％のＮａＣｌ水性電極すすぎ液体を調製する。
−以下のように５層を３２ｍＮ／ｍ試験流体で試験することによって、参照吸収性パッドの裏抜け目標（３．３＋／−０．５秒）が満たされていることを確認する。
−裏抜け試験装置のベースプレート上に５プライの基準吸収性パッドをきれいに積み重ねる。
−裏抜けプレートを５プライの上に設置し、プレートの中心が紙の中心上にあることを確認する。分配漏斗の下でこの組立体を中心に合わせる。
−裏抜け試験装置の上部のアセンブリが予め設定された停止点まで下げられていることを確認する。
−電極がタイマーに接続されていることを確認する。
−裏抜け試験装置を「オン」にし、タイマーをゼロにする。
−５ｍＬの固定容積ピペット及び先端部を用いて、５ｍＬの３２ｍＮ／ｍ試験流体を漏斗に分配する。
−（例えば、ユニットのボタンを押すことによって）漏斗のマグネチックバルブを開放して、５ｍＬの試験流体を排出する。流体の最初の流れが電気回路を完成させ、タイマーを開始させる。流体が基準吸収性パッド内に浸透し、裏抜けプレートの電極の水準を下回ると、タイマーが停止する。
−電子タイマーに示される時間を記録する。
−試験アセンブリを除去し、使用した参照吸収性パッドを廃棄する。電極を０．９％のＮａＣｌ水溶液ですすいで、それらを次の試験のために「下塗り」する。電極の上の陥凹部及び裏抜けプレートの裏を乾燥させ、加えて、分配器の出口オリフィス及び濾紙が置かれる底部プレート又はテーブル表面を拭く。
−参照吸収性パッドの裏抜け目標が満たされていることを確認するために、この試験手順を最低３回繰り返す。この標的が満たされない場合、この基準吸収性パッドは規格外であり得、使用されるべきではない。
−参照吸収性パッド性能が検証された後に、不織布ウェブサンプルを試験し得る。
−約２３℃±２℃及び約５０％±２％の相対湿度で、試験前に約２時間にわたって、試験物品を事前に調整する。試験片を得るため、物品を作業台上で身体に面する表面を上にして平らに引き伸ばし、物品の長手方向の全長を測定する。内側及び外側カフ上の試験部位は、物品の長手方向の中点で選択する。鋏を使用して、試験片を７０ｍｍの長さ×（左のカフの長手方向の中点に中心を合わせた）内側カフの高さ全体に切断する。次に、第２の試験片（今回は外側カフから）を、７０ｍｍの長さ×（左の外側カフの長手方向の中点に中心を合わせた）外側カフの高さ全体に切断する。同様の方式で内側及び外側カフの試験片を物品の右側のカフから用意する。
−裏抜けプレートのポートを覆って、試験片を中心に置く。試験片は、ポートに対して向けられたカフの身体に面する表面に対応するその表面で、ポートを完全に覆わなくてはならない。試験片がその長手方向にピンと張った状態となるまで、緩やかに延伸させて、カフが、上側の試験プレートに対して平らに置かれるようにする。接着テープを貼って、カフが試験のための延伸状態で試験プレートに対して固定されるようにする。テープは測定ポートのいずれの部分も覆ってはならない。
−裏抜け試験装置の上部のアセンブリが予め設定された停止点まで下げられていることを確認する。
−電極がタイマーに接続されていることを確認する。−裏抜け試験装置を「オン」にし、タイマーをゼロにする。
−上述のように起動する。
−３つの物品についてこの手順を繰り返す。６つ値の平均値をとり、３２ｍＮ／ｍ低表面張力裏抜け時間として０．１秒単位まで記録する。
【０１５９】
ブローアウト法試験
この試験に関して、パンツ型のおむつをサイドパネルの中心線に沿って切り開き、テープ型おむつは加工せずに使用する。おむつの幅は、後側腰部区域にわたって１．０００ｋｇを適用することにより測定される。後側腰部区域にわたっておむつを、おむつの遠位縁部の残り１センチメートルで、中心線に平行する各端部に１ｃｍの締め付け奥行きを有する平らなつめの５ｃｍ幅の取り付け具に固定する。おむつを垂直に吊るし、１．０００ｋｇの重りを底部で同じ締め具に取り付け、重りをゆっくり解放する（全負荷まで２秒）。その後、締め具から締め具までのおむつ幅を測定し（全重り負荷後５秒）、結果に２ｃｍ足す。結果を次のセンチメートル単位に切り上げる。
【０１６０】
おむつの長さは垂直に０．３００ｋｇを適用することにより測定される。おむつを、おむつの後側腰部区域の残り１センチメートルで、中心線に直角の各端部に１ｃｍの締め付け奥行きを有する平らなつめの１５ｃｍ幅の取り付け具に中心線で固定する。おむつを垂直に吊るし、０．３００ｋｇの重りを底部で同じ締め具に取り付け、重りをゆっくり解放する（全負荷まで２秒）。締め具から締め具までのおむつ長さを測定し（全重り負荷後５秒）、結果に２ｃｍ足す。結果を次のセンチメートル単位に切り上げる。
【０１６１】
少なくとも上記で測定されたおむつの幅、並びに上記で測定されたおむつよりも１０ｃｍ長い長さ及び少なくとも５ｃｍの奥行きを有する平らな平面の上面５０２を備える、直線のリッジ材料（例えば、ナイロン）のブロックからトラフ５００を作製する。ブロックにチャネル５０４を機械加工し、図１９に示されるように、チャネルは中央にトラフ５００の全長にわたる。チャネル５０４の断面は、半径Ｒ＝１２．７０ｃｍを有する円の一部である。チャネル５０４の幅Ｗは１０．１６ｃｍあり、チャネル５０４の奥行きＤは２．５４ｃｍある。
【０１６２】
９ｇのＮａＣｌを１０００ｍｌの蒸留水に溶解することにより、ブローアウト法試験に使用される生理食塩水を用意する。人工ＢＭはＬｕｂｒｉｚｏｌ  ９８１（別名、Ｃａｒｂｏｐｏｌ）の０．５％水溶液である。以下の方法により、１０００ｇの人工物を用意する。
【０１６３】
成分：
１．５．０ｇ＋／−０．１ｇのＣａｒｂｏｐｏｌ
２．２０００ｍｌのビーカーに９４５．０ｇ＋／−０．１ｇの蒸留水
３．５０．０ｇ＋／−０．１ｇの１Ｍ  ＮａＯＨ溶液
４．食品着色料、Ｋｒｏｇｅｒ（登録商標）ブランド又は等価物（Ｋｒｏｇｅｒブランドの食品着色料の成分は、水、プロピレングリコール、黄５、赤４０、青１クエン酸、安息香酸ナトリウムである）
【０１６４】
製造方法：
１．蒸留水の入った２０００ｍｌのビーカーを取り、プロペラが水の表面の２ｃｍ下であるように、撹拌棒（例えば、５５ｍｍ直径の３ブレードプロペラ）を挿入する。
２．１１００ｒｐｍで蒸留水の撹拌を開始する。
３．１０秒にわたって、均質にＣａｒｂｏｐｏｌを全て添加する。
４．１１００ｒｐｍで３０分間、撹拌を続ける。
５．１０秒にわたって、均質にＮａＯＨ溶液を全て添加する。
６．食品着色料を２滴添加し、１１００ｒｐｍで３０分間、撹拌を続ける。
【０１６５】
人工ＢＭの粘度は、ブローアウト法試験に使用するために、３３００ｃｐ〜４８００ｃｐでなければならない。適切な粘度を確実にするために、Ｂｒｏｏｋｆｉｅｌｄスピンドル粘度計（２８スピンドル／２２．３℃／ＲＰＭ  ６００）又は等価物で、品質分析を行ってもよい。全ての試験は、２３℃±３℃及び５０％±２％の相対湿度に制御された室内で行う。試験前に、２３℃±３℃及び５０％±２％の相対湿度で２時間、おむつサンプルを予め調整する。
【０１６６】
トップシートを上に向け、バックシートをピンと張り、平らな平面構成でおむつをトラフの上面にテープで止め、上記の測定した寸法まで延伸させ、テープで固定する。遠位縁部をテープで止めた後、トラフ上で同じ幅まで延伸させ（テープを貼る点は長さ及び幅の寸法においてトラフの平らな部分上である）。おむつの長手方向中心線は、トラフ５００の長手方向中心線５０６と整合する。おむつの腰部縁部はトラフの端部から１０ｃｍ内側寄りから始まる。
【０１６７】
２枚のペーパータオルを量り、１５ｃｍ×１５ｃｍ寸法に折り畳み、第２の腰部領域でペーパータオルの１ｃｍをおむつとトラフの上面との間に挟んで、おむつの第２の腰部領域（すなわち、使用者に適用したときのおむつの後側領域）に平らに位置付け、人工ＢＭを回収する。
【０１６８】
全体的な重量が３０．０ｇより少ないおむつ（きれいで汚れていない）に関しては、１００．０ｍｌの生理食塩水（別個に５０．０ｍｌを２回適用）及びブローアウト法試験に１００．０ｇの人工ＢＭ（１回適用）を使用し、全体的な重量が３０．０ｇ以上のおむつに関しては、１５０．０ｍｌの生理食塩水（別個に７５．０ｍｌを２回適用）及びブローアウト法試験に１５０ｇの人工ＢＭ（１回適用）を使用する。
【０１６９】
人工ＢＭは、５ｍｍ〜１０ｍｍ幅のノズルを装備した注射器を使用して、ビーカーから＋／−０．５ｇ以内に測定される。生理食塩水は、１００ｍｌの注射器を使用して、ビーカーから＋／−０．５ｇ以内に容積測定的に測定される。それぞれの注射器から生理食塩水及び人工ＢＭを以下のようにおむつの適用点に適用する。生理食塩水及び人工ＢＭの適用点は、おむつの長手方向中心線と横方向中心線との交点である。生理食塩水の第１の適用は５ｍｌ／秒の適用速度で適用される。第１の生理食塩水の適用が完了した後、６０秒待つ。生理食塩水の第２の適用は５ｍｌ／秒の適用速度で適用される。第２の生理食塩水の適用が完了した後、６０秒待つ。次いで、人工ＢＭが１０ｍｌ／秒の適用速度で適用される。人工ＢＭの適用が完了した後、６０秒待つ。
【０１７０】
ボールがチャネル５０４の中心にあり、軸６０２がトラフ５００の長手方向中心線５０６に水平かつ直角であるように、合計重量５８０ｇの横軸６０２（長さ約２６ｃｍｘ直径１．５ｃｍ）を有する直径１０．２ｃｍのボール６００を、おむつの第１の腰部領域に設置する。横軸６０２を有するボール６００は図２０に示される。下方への圧力を適用することなく、１０ｃｍ／秒の速度でおむつの第２の腰部領域に向けて１回ボール６００を回し、軸がおむつの第２の腰部縁部から３．００ｃｍであるときに止める。ボールを垂直におむつから持ち上げ、腰部カフ区域（Ａ．第２の腰部領域におけるシャーシの幅×Ｂ．第２の腰部縁部から内側寄りの長手方向に５ｃｍの長さからなる区域として画定される）の身体に面する表面から全ての人工ＢＭをこすり取り、堅い物差しをペーパータオル上に置く。汚れたペーパータオルを取り外し、汚れたペーパータオル全体を量り、元の汚れていないペーパータオルの重量を減法することにより、ペーパータオル上の漏れた人工ＢＭ／生理食塩水の量を計算する。この値がブローアウト漏れ重量である。ブローアウトパーセント漏れを以下のように計算する：
ブローアウトパーセント漏れ＝（ブローアウト漏れ重量）／適用されたＢＭの総重量）＊１００
【０１７１】
効率係数を以下のように計算する：
効率係数＝（ブローアウト漏れ重量／おむつ重量）＊１００
【０１７２】
同じタイプのおむつで完全な試験を５回行い（Ｎ＝５）、平均ブローアウト漏れ重量及び平均ブローアウトパーセント漏れ並びに平均効率係数を＋／−１％以内まで報告する。
【０１７３】
パッケージ化：
本発明の吸収性物品は、パッケージに入れられてもよい。パッケージは、高分子フィルム及び／又は他の材料を含んでよい。吸収性物品の特性に関するグラフィック及び／又は表示部は、パッケージの外側部分に形成され、印刷され、位置付けられ、及び／又は配置されてよい。それぞれのパッケージは、複数の吸収性物品を含んでよい。吸収性物品は、パッケージの寸法を縮小するように圧縮下でパッキングされて、なお、１パッケージ当たり妥当な量の吸収性物品を提供することができる。吸収性物品を圧縮下でパッケージ化することにより、介護者は容易にパッケージを扱い、保管することができると同時に、パッケージのサイズによる流通コストの削減を製造者にもたらし得る。
【０１７４】
したがって、本明細書の吸収性物品のパッケージは、本明細書に記載のバッグ内スタック高さテストによるバッグ内スタック高さが、約１１０ｍｍ未満、約１０５ｍｍ未満、約１００ｍｍ未満、約９５ｍｍ未満、約９０ｍｍ未満、約８５ｍｍ未満、約８０ｍｍ未満、約７８ｍｍ未満、約７６ｍｍ未満、約７４ｍｍ未満、約７２ｍｍ未満、約７０ｍｍ未満であってもよく、具体的には、当該範囲内の特定の範囲及び全体で０．１ｍｍ刻みの全ての数値を含む。或いは、本明細書の吸収性物品のパッケージは、本明細書に記載のバッグ内スタック高さテストによるバッグ内スタック高さが、約７０ｍｍ〜約１１０ｍｍ、約７０ｍｍ〜約１０５ｍｍ、約７０ｍｍ〜約１００ｍｍ、約７０ｍｍ〜約９５ｍｍ、約７０ｍｍ〜約９０ｍｍ、約７０ｍｍ〜約８５ｍｍ、約７２ｍｍ〜約８０ｍｍ、又は約７４ｍｍ〜約７８ｍｍであってもよく、具体的には、当該範囲内の特定の範囲及び全体で０．１ｍｍ刻みの全ての数値を含む。
【０１７５】
図２１は、複数の吸収性物品１００４を含む例示的なパッケージ１０００を図示する。パッケージ１０００は、複数の吸収性物品１００４が位置する内部空間１００２を画定する。複数の吸収性物品１００４は、１つ以上のスタック１００６に配置される。
【０１７６】
バッグ内スタック高さ試験
吸収性物品のパッケージのバッグ内スタック高さは、以下の通りに判定される。
【０１７７】
機器
平坦な剛性の水平スライディングプレートを備えた厚さテスタが使用される。厚さテスタは、水平スライディングプレートが、平坦な合成の水平ベースプレートの上で直接水平方向に常に維持された状態で、水平スライディングプレートが垂直方向に自由に移動するように構成される。厚さテスタは、水平スライディングプレートと水平ベースプレートとの間の間隙を±０．５ｍｍ以内で測定するのに好適なデバイスを含む。水平スライディングプレート及び水平ベースプレートは、各プレートと接触する吸収性物品パッケージの表面よりも大きい（即ち、全ての方向で各プレートは吸収性物品パッケージの接触表面を過ぎて延在する）。水平スライディングプレートは、吸収性物品パッケージに下方への力８．３４Ｎ（８５０±１重量グラム）を加えるが、これはスライディングプレートの合計質量に追加重量を足して８．３４Ｎ（８５０±１グラム）となるように、水平スライディングプレートのパッケージに接触しない上面の中央に好適な重りを置くことによって達成され得る。
【０１７８】
試験手順
吸収性物品パッケージを、測定前に、２３±２℃及び５０±５％の相対湿度で平衡化する。
【０１７９】
水平スライディングプレートを上げ、パッケージ内の吸収性物品が水平方向になるように、吸収性物品パッケージを水平スライディングプレートの下の中央に設置する（図２１を参照されたい）。プレートのいずれかに接触するパッケージの表面の任意のハンドル又は他のパッケージング機構を、パッケージの表面に対して平坦に折り重ねることで、測定に対する影響を最小限にする。水平スライディングプレートを、パッケージの上面に接触するまでゆっくり下げてから、解放する。水平スライディングプレートを解放してから１０秒後に、水平プレート間の間隙を±０．５ｍｍ以内で測定する。５つの同じパッケージ（同一寸法のパッケージ及び同一の吸収物品数）を測定し、相加平均をパッケージ幅として報告する。「バッグ内スタック高さ」＝（パッケージ幅／１スタック当たりの吸収性物品数）×１０を算出し、±０．５ｍｍ以内で報告する。
【０１８０】
実施例：
Ａ．着用者の胴体下部周囲に着用するための使い捨て吸収性物品であって、この使い捨て吸収性物品が、第１の腰部領域、第２の腰部領域、第１の腰部領域と第２の腰部領域との間に配設された股部領域と、第１の腰部縁部及び第２の腰部縁部と、第１の長手方向縁部及び第２の長手方向縁部とを含み、使い捨て吸収性物品が、
１．）トップシートと、
２．）バックシートと、
３．）トップシートとバックシートとの間に配設された吸収性コアと、を含む、シャーシを含み、
使い捨て吸収性物品が、脚部ガスケットシステムと、少なくとも１つの腰部ガスケット要素と、を更に含み、
脚部ガスケットシステムが、内側カフ及び外側カフを形成する材料ウェブ含み、
内側カフが、内側カフの折り畳まれた縁部及び内側カフの材料縁部を含み、外側カフが、外側カフの折り畳まれた縁部及び外側カフの材料縁部を含み、それにより、材料ウェブが横方向内側に折り畳まれて、外側カフの折り畳まれた縁部を形成し、かつ横方向外側に折り畳まれて、内側カフの折り畳まれた縁部を形成し、
外側カフの折り畳まれた縁部と外側カフの材料縁部との間の材料ウェブの少なくとも一部が、第１の腰部領域、第２の腰部領域、及び股部領域においてシャーシに取り付けられ、内側カフの折り畳まれた縁部と外側カフの折り畳まれた縁部との間の材料ウェブの少なくとも一部が、股部領域及び第１の腰部領域において外側カフの折り畳まれた縁部と外側カフの材料縁部との間の材料ウェブに取り付けられ、内側カフの折り畳まれた縁部と外側カフの折り畳まれた縁部との間の材料ウェブは、第２の腰部領域の少なくとも一部において外側カフの折り畳まれた縁部と外側カフの材料縁部との間の材料ウェブには取り付けられず、脚部ガスケットシステムポケットを形成し、脚部ガスケットシステムポケットの内側寄りの長手方向縁部上に開口部を有し、
少なくとも１つの腰部ガスケット要素が、内側寄りの横方向縁部、外側寄りの横方向縁部、及び２つの長手方向縁部を有し、少なくとも１つの腰部ガスケット要素が、少なくとも１つの弾性材料を含み、
本明細書に記載されるブローアウト法試験により試験される場合、使い捨て吸収性物品が、９．０％未満のブローアウトパーセント漏れを有する、使い捨て吸収性物品。
Ｂ．ブローアウトパーセント漏れが、約７．０％未満である、Ａ項に記載の使い捨て吸収性物品。
Ｃ．ブローアウトパーセント漏れが、約５．０％未満である、Ａ又はＢ項のいずれか一項に記載の使い捨て吸収性物品。
Ｄ．脚部ガスケットシステムポケットの開口部の長さが、長手方向に約５ｍｍ〜約１００ｍｍある、Ａ〜Ｃ項のいずれか一項に記載の使い捨て吸収性物品。
Ｅ．脚部ガスケットシステムポケットが、長手方向に約５ｍｍ〜約２００ｍｍの全体的な長手方向長さを有する、Ａ〜Ｄ項のいずれか一項に記載の使い捨て吸収性物品。
Ｆ．脚部ガスケットシステムポケットの開口部が、脚部ガスケットシステムポケットの全体的な長手方向長さの約１％〜約７５％である、Ａ〜Ｅ項のいずれか一項に記載の使い捨て吸収性物品。
Ｇ．脚部ガスケットシステムポケットが、弾性部材を含まない、Ａ〜Ｆ項のいずれか一項に記載の使い捨て吸収性物品。
Ｈ．脚部ガスケットシステムポケットが、１つ以上のスナップバック弾性部材を含む、Ａ〜Ｇ項のいずれか一項に記載の使い捨て吸収性物品。
Ｉ．外側カフの折り畳まれた縁部と外側カフの材料縁部との間の材料ウェブの少なくとも一部が、第１の腰部領域、第２の腰部領域、及び股部領域においてトップシート及び／又はバックシートに取り付けられる、Ａ〜Ｈ項のいずれか一項に記載の使い捨て吸収性物品。
Ｊ．シャーシが不透明性強化パッチを含み、外側カフの折り畳まれた縁部と外側カフの材料縁部との間の材料ウェブの少なくとも一部が、第１の腰部領域、第２の腰部領域、及び股部領域において不透明性強化パッチに取り付けられる、Ａ〜Ｉ項のいずれか一項に記載の使い捨て吸収性物品。
Ｋ．内側カフが、約５０ｍ３／ｍ２／分未満の空気透過率を有し、外側カフが、約５ｍ３／ｍ２／分を超える空気透過率を有する、Ａ〜Ｊ項のいずれか一項に記載の使い捨て吸収性物品。
Ｌ．内側カフが、約５５００ｇ／ｍ２／２４時間未満のＷＶＴＲを有し、外側カフが、約４２５０ｇ／ｍ２／２４時間を超えるＷＶＴＲを有する、Ａ〜Ｋ項のいずれか一項に記載の使い捨て吸収性物品。
Ｍ．脚部ガスケットシステムが、第１の腰部縁部から第２の腰部縁部まで延在している、Ａ〜Ｌ項のいずれか一項に記載の使い捨て吸収性物品。
Ｎ．脚部ガスケットシステムの少なくとも１つ及び少なくとも１つの腰部ガスケット要素が、Ｎ繊維材料を含む、Ａ〜Ｍ項のいずれか一項に記載の使い捨て吸収性物品。
Ｏ．脚部ガスケットシステムポケットが、疎水性コーティングを含む、Ａ〜Ｎ項のいずれか一項に記載の使い捨て吸収性物品。
Ｐ．着用者の胴体下部周囲に着用するための使い捨て吸収性物品であって、この使い捨て吸収性物品が、第１の腰部領域、第２の腰部領域、第１の腰部領域と第２の腰部領域との間に配設された股部領域と、第１の腰部縁部及び第２の腰部縁部と、第１の長手方向縁部及び第２の長手方向縁部とを含み、使い捨て吸収性物品が、
１．）トップシートと、
２．）バックシートと、
３．）トップシートとバックシートとの間に配設された吸収性コアと、を含む、シャーシを含み、
使い捨て吸収性物品が、脚部ガスケットシステムと、少なくとも１つの腰部ガスケット要素と、を更に含み、
脚部ガスケットシステムが、内側カフ及び外側カフを形成する材料ウェブ含み、
内側カフが、内側カフの折り畳まれた縁部及び内側カフの材料縁部を含み、外側カフが、外側カフの折り畳まれた縁部及び外側カフの材料縁部を含み、それにより、材料ウェブが横方向内側に折り畳まれて、外側カフの折り畳まれた縁部を形成し、かつ横方向外側に折り畳まれて、内側カフの折り畳まれた縁部を形成し、
外側カフの折り畳まれた縁部と外側カフの材料縁部との間の材料ウェブの少なくとも一部が、第１の腰部領域、第２の腰部領域、及び股部領域においてシャーシに取り付けられ、内側カフの折り畳まれた縁部と外側カフの折り畳まれた縁部との間の材料ウェブの少なくとも一部が、股部領域及び第１の腰部領域において外側カフの折り畳まれた縁部と外側カフの材料縁部との間の材料ウェブに取り付けられ、内側カフの折り畳まれた縁部と外側カフの折り畳まれた縁部との間の材料ウェブは、第２の腰部領域の少なくとも一部において外側カフの折り畳まれた縁部と外側カフの材料縁部との間の材料ウェブには取り付けられず、脚部ガスケットシステムポケットを形成し、脚部ガスケットシステムポケットの内側寄りの長手方向縁部上に開口部を有し、
少なくとも１つの腰部ガスケット要素が、内側寄りの横方向縁部、外側寄りの横方向縁部、及び２つの長手方向縁部を有し、少なくとも１つの腰部ガスケット要素が、少なくとも１つの弾性材料を含み、
少なくとも１つの腰部ガスケット要素が、１）使い捨て吸収性物品のシャーシ、及び２）脚部ガスケットシステムに取り付けられ、それにより、腰部ガスケット要素の外側寄りの横方向縁部の少なくとも一部がシャーシに取り付けられ、腰部ガスケット要素の外側寄りの横方向縁部の少なくとも一部が脚部ガスケットシステムを形成する材料ウェブに取り付けられ、かつ腰部ガスケット要素の内側寄りの横方向縁部は使い捨て吸収性物品のシャーシには取り付けられず、
本明細書に記載されるブローアウト法試験により試験される場合、使い捨て吸収性物品が、９．０％未満のブローアウトパーセント漏れを有する、使い捨て吸収性物品。
Ｑ．ブローアウトパーセント漏れが、約７．０％未満である、Ｐ項に記載の使い捨て吸収性物品。
Ｒ．ブローアウトパーセント漏れが、約５．０％未満である、Ｐ又はＱ項のいずれか一項に記載の使い捨て吸収性物品。
Ｓ．内側カフが、約５０ｍ３／ｍ２／分未満の空気透過率を有し、外側カフが、約５ｍ３／ｍ２／分を超える空気透過率を有する、Ｐ〜Ｒ項のいずれか一項に記載の使い捨て吸収性物品。
Ｔ．内側カフが、約５５００ｇ／ｍ２／２４時間未満のＷＶＴＲを有し、外側カフが、約４２５０ｇ／ｍ２／２４時間を超えるＷＶＴＲを有する、Ｐ〜Ｓ項のいずれか一項に記載の使い捨て吸収性物品。
Ｕ．効率係数が、約４０．０未満である、Ａ〜Ｊ項のいずれか一項に記載の使い捨て吸収性物品。
Ｖ．効率係数が、約０．１〜約約２５．０である、Ａ〜Ｊ項のいずれか一項に記載の使い捨て吸収性物品。
【０１８１】
本明細書に開示した寸法及び値は、示された数値そのものに厳密に限定されるものとして理解すべきではない。むしろ、特に断らない限り、そのような寸法のそれぞれは、記載された値及びその値の周辺の機能的に同等の範囲の両方を意味するものとする。例えば「４０ｍｍ」として開示される寸法は、「約４０ｍｍ」を意味するものとする。
【０１８２】
「発明を実施するための形態」の中で引用された全ての文献は、関連部分において本明細書に参照により援用されている。いかなる文書の引用も、それが本発明に対する先行技術であることを認めるものとして解釈されるべきではない。本明細書における用語のいずれかの意味又は定義が、参照により組み込まれる文献における用語のいずれかの意味又は定義と対立する範囲においては、本明細書においてその用語に付与した意味又は定義を適用するものとする。
【０１８３】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2018511388.tif 000005
【図２】
2018511388.tif 000006
【図３】
2018511388.tif 000007
【図４】
2018511388.tif 000008
【図５】
2018511388.tif 000009
【図６】
2018511388.tif 000010
【図７】
2018511388.tif 000011
【図８】
2018511388.tif 000012
【図９】
2018511388.tif 000013
【図１０】
2018511388.tif 000014
【図１１Ａ】
2018511388.tif 000015
【図１１Ｂ】
2018511388.tif 000016
【図１１Ｃ】
2018511388.tif 000017
【図１１Ｄ】
2018511388.tif 000018
【図１１Ｅ】
2018511388.tif 000019
【図１１Ｆ】
2018511388.tif 000020
【図１１Ｇ】
2018511388.tif 000021
【図１１Ｈ】
2018511388.tif 000022
【図１１Ｉ】
2018511388.tif 000023
【図１１Ｊ】
2018511388.tif 000024
【図１１Ｋ】
2018511388.tif 000025
【図１１Ｌ】
2018511388.tif 000026
【図１１Ｍ】
2018511388.tif 000027
【図１１Ｎ】
2018511388.tif 000028
【図１１Ｏ】
2018511388.tif 000029
【図１１Ｐ】
2018511388.tif 000030
【図１１Ｑ】
2018511388.tif 000031
【図１１Ｒ】
2018511388.tif 000032
【図１１Ｓ】
2018511388.tif 000033
【図１１Ｔ】
2018511388.tif 000034
【図１２】
2018511388.tif 000035
【図１３】
2018511388.tif 000036
【図１４】
2018511388.tif 000037
【図１５】
2018511388.tif 000038
【図１６】
2018511388.tif 000039
【図１７】
2018511388.tif 000040
【図１８】
2018511388.tif 000041
【図１９】
2018511388.tif 000042
【図２０】
2018511388.tif 000043
【図２１】
2018511388.tif 000044
【国際調査報告】
2018511388.tif 000045
2018511388.tif 000046
2018511388.tif 000047